(57)【特許請求の範囲】
【請求項１】
主として映像情報及び前記映像情報に付随する音声情報を含むＡＶ情報を記録するビデオ領域と、主として音声情報を記録するオーディオ領域と、を有する記録媒体において、
前記ＡＶ情報の再生が可能なビデオプレーヤ用のナビゲーション情報と、
前記ビデオ領域の音声情報と前記オーディオ領域の音声情報との再生が可能なオーディオプレーヤ用のナビゲーション情報と、
前記ビデオ領域の音声情報と前記オーディオ領域の音声情報を簡易オーディオプレーヤで再生するための簡易オーディオプレーヤ用のナビゲーション情報と、
前記ＡＶ情報及び前記音声情報の両方を再生可能なコンパチブルプレーヤ用のナビゲーション情報と、
を有することを特徴とする記録媒体。
【請求項２】
前記ビデオプレーヤ用ナビゲーション情報は前記ビデオ領域からのＡＶ情報の再生を規定し、
前記オーディオプレーヤ用ナビゲーション情報は前記オーディオ領域からの音声情報の再生及び前記ビデオ領域からの音声情報のみの再生を規定し、
前記簡易オーディオプレーヤ用ナビゲーション情報は前記オーディオ領域からの音声情報及び前記ビデオ領域からの音声情報を２チャンネル以下で再生することを規定し、
前記コンパチブルプレーヤ用ナビゲーション情報は前記オーディオ領域からの音声情報の再生及び前記ビデオ領域からのＡＶ情報の再生を規定することを特徴とする請求項１に記載の記録媒体。
【請求項３】
前記記録媒体には、再生における一つの単位であるタイトルが１又は複数記録され、
前記タイトルは、
前記オーディオ領域内の音声情報の再生により構成されるオーディオタイトルと、
前記ビデオ領域内のＡＶ情報の再生により構成されるビデオタイトルと、
に分類されることを特徴とする請求項１又は２に記載の記録媒体。
【請求項４】
前記ビデオタイトルの一部又は全部は、前記ビデオプレーヤと前記コンパチブルプレーヤでは前記ＡＶ情報が再生され、前記オーディオプレーヤでは前記ＡＶ情報中の音声情報が再生される両用タイトルであることを特徴とする請求項３記載の記録媒体。
【請求項５】
前記ビデオプレーヤ用ナビゲーション情報は、前記ビデオタイトルのＡＶ情報を再生するための再生制御情報の前記記録媒体上の記録位置を示し、
前記オーディオプレーヤ用ナビゲーション情報は、前記オーディオタイトルの音声情報を再生するための再生制御情報の前記記録媒体上の記録位置、及び、前記両用タイトルの音声情報を再生するための再生制御情報の前記記録媒体上の記録位置を示し、
前記簡易オーディオプレーヤ用ナビゲーション情報は、前記オーディオタイトルの音声情報、及び、前記両用タイトルの音声情報の前記記録媒体上の記録位置を示し、
前記コンパチブルプレーヤ用ナビゲーション情報は、前記両用タイトルを含むビデオタイトルのＡＶ情報を再生するための再生制御情報の前記記録媒体上の記録位置、及び、前記オーディオタイトルの音声情報を再生するための再生制御情報の前記記録媒体上の記録位置を示すことを特徴とする請求項４記載の記録媒体。
【請求項６】
前記簡易オーディオプレーヤ用ナビゲーション情報、前記オーディオプレーヤ用ナビゲーション情報及びコンパチブルプレーヤ用ナビゲーション情報は前記オーディオ領域内に記録され、
前記ビデオプレーヤ用ナビゲーション情報は前記ビデオ領域内に記録されていることを特徴とする請求項１ないし５のいずれかに記載の記録媒体。
【請求項７】
前記ビデオタイトルの再生制御情報は前記ビデオ領域内に記録され、前記オーディオタイトルの再生制御情報は前記オーディオ領域内に記録されていることを特徴とする請求項３ないし５のいずれかに記載の記録媒体。
【請求項８】
前記両用タイトルの再生制御情報は、
前記オーディオ領域に記録されるオーディオプレーヤ用の再生制御情報と、
前記ビデオ領域に記録されるコンパチブルプレーヤ用の再生制御情報と、からなることを特徴とする請求項４及び５のいずれかに記載の記録媒体。
【請求項９】
１の前記両用タイトルでもある前記ビデオタイトルにおいて、
前記コンパチブルプレーヤ用ナビゲーション情報が示す該両用タイトルの再生制御情報と、前記ビデオプレーヤ用ナビゲーション情報が示す該ビデオタイトルの再生制御情報とは、同一の位置に記録されていることを特徴とする請求項８記載の記録媒体。
【請求項１０】
１の前記オーディオタイトルにおいて、
前記コンパチブルプレーヤ用ナビゲーション情報が示す該オーディオタイトルの再生制御情報と、前記オーディオプレーヤ用ナビゲーション情報が示す該オーディオタイトルの再生制御情報とは、同一の位置に記録されていることを特徴とする請求項８記載の記録媒体。
【請求項１１】
請求項１に記載の記録媒体から情報を再生する情報再生装置において、
前記ビデオプレーヤ用ナビゲーション情報、前記オーディオプレーヤ用ナビゲーション情報、前記簡易オーディオプレーヤ用ナビゲーション情報及び前記コンパチブルプレーヤ用ナビゲーション情報のいずれかを選択する選択手段と、
選択されたナビゲーション情報に基づいて前記記録媒体から記録情報を再生する再生手段と、を備えることを特徴とする情報再生装置。
【請求項１２】
請求項１に記載の記録媒体から情報を再生する情報再生装置において、
前記ビデオプレーヤ用ナビゲーション情報、前記オーディオプレーヤ用ナビゲーション情報、前記簡易オーディオプレーヤ用ナビゲーション情報及び前記コンパチブルプレーヤ用ナビゲーション情報の中から前記ビデオプレーヤ用ナビゲーション情報を選択する選択手段と、
選択された前記ビデオプレーヤ用ナビゲーション情報に基づいて前記記録媒体から記録情報を再生する再生手段と、を備えることを特徴とする情報再生装置。
【請求項１３】
請求項１に記載の記録媒体から情報を再生する情報再生装置において、
前記ビデオプレーヤ用ナビゲーション情報、前記オーディオプレーヤ用ナビゲーション情報、前記簡易オーディオプレーヤ用ナビゲーション情報及び前記コンパチブルプレーヤ用ナビゲーション情報の中から前記オーディオプレーヤ用ナビゲーション情報を選択する選択手段と、
選択された前記オーディオプレーヤ用ナビゲーション情報に基づいて前記記録媒体から記録情報を再生する再生手段と、を備えることを特徴とする情報再生装置。
【請求項１４】
請求項１に記載の記録媒体から情報を再生する情報再生装置において、
前記ビデオプレーヤ用ナビゲーション情報、前記オーディオプレーヤ用ナビゲーション情報、前記簡易オーディオプレーヤ用ナビゲーション情報及び前記コンパチブルプレーヤ用ナビゲーション情報の中から前記簡易オーディオプレーヤ用ナビゲーション情報を選択する選択手段と、
選択された前記簡易オーディオプレーヤ用ナビゲーション情報に基づいて前記記録媒体から記録情報を再生する再生手段と、を備えることを特徴とする情報再生装置。
【請求項１５】
請求項１に記載の記録媒体から情報を再生する情報再生装置において、
前記ビデオプレーヤ用ナビゲーション情報、前記オーディオプレーヤ用ナビゲーション情報、前記簡易オーディオプレーヤ用ナビゲーション情報及び前記コンパチブルプレーヤ用ナビゲーション情報の中から前記コンパチブルプレーヤ用ナビゲーション情報を選択する選択手段と、
選択された前記コンパチブルプレーヤ用ナビゲーション情報に基づいて前記記録媒体から記録情報を再生する再生手段と、を備えることを特徴とする情報再生装置。
【請求項１６】
請求項１に記載の記録媒体から情報を再生する情報再生方法において、
前記ビデオプレーヤ用ナビゲーション情報、前記オーディオプレーヤ用ナビゲーション情報、前記簡易オーディオプレーヤ用ナビゲーション情報及び前記コンパチブルプレーヤ用ナビゲーション情報のいずれかを選択する工程と、
選択されたナビゲーション情報に基づいて前記記録媒体から記録情報を再生する工程と、を備えることを特徴とする情報再生方法。
【請求項１７】
請求項１に記載の記録媒体から情報を再生する情報再生方法において、
前記ビデオプレーヤ用ナビゲーション情報、前記オーディオプレーヤ用ナビゲーション情報、前記簡易オーディオプレーヤ用ナビゲーション情報及び前記コンパチブルプレーヤ用ナビゲーション情報の中から前記ビデオプレーヤ用ナビゲーション情報を選択する工程と、
選択された前記ビデオプレーヤ用ナビゲーション情報に基づいて前記記録媒体から記録情報を再生する工程と、を備えることを特徴とする情報再生方法。
【請求項１８】
請求項１に記載の記録媒体から情報を再生する情報再生方法において、
前記ビデオプレーヤ用ナビゲーション情報、前記オーディオプレーヤ用ナビゲーション情報、前記簡易オーディオプレーヤ用ナビゲーション情報及び前記コンパチブルプレーヤ用ナビゲーション情報の中から前記オーディオプレーヤ用ナビゲーション情報を選択する工程と、
選択された前記オーディオプレーヤ用ナビゲーション情報に基づいて前記記録媒体から記録情報を再生する工程と、を備えることを特徴とする情報再生方法。
【請求項１９】
請求項１に記載の記録媒体から情報を再生する情報再生方法において、
前記ビデオプレーヤ用ナビゲーション情報、前記オーディオプレーヤ用ナビゲーション情報、前記簡易オーディオプレーヤ用ナビゲーション情報及び前記コンパチブルプレーヤ用ナビゲーション情報の中から前記簡易オーディオプレーヤ用ナビゲーション情報を選択する工程と、
選択された前記簡易オーディオプレーヤ用ナビゲーション情報に基づいて前記記録媒体から記録情報を再生する工程と、を備えることを特徴とする情報再生方法。
【請求項２０】
請求項１に記載の記録媒体から情報を再生する情報再生方法において、
前記ビデオプレーヤ用ナビゲーション情報、前記オーディオプレーヤ用ナビゲーション情報、前記簡易オーディオプレーヤ用ナビゲーション情報及び前記コンパチブルプレーヤ用ナビゲーション情報の中から前記コンパチブルプレーヤ用ナビゲーション情報を選択する選択手段と、
選択された前記コンパチブルプレーヤ用ナビゲーション情報に基づいて前記記録媒体から記録情報を再生する再生手段と、を備えることを特徴とする情報再生方法。
【発明の詳細な説明】
【０００１】
【産業上の利用分野】
本発明は、ＤＶＤに代表される映像、音声等の情報を高密度に記録可能な高密度光ディスク等の情報記録媒体、及び当該情報記録媒体から情報を再生するための再生装置及び再生方法に関する。
【０００２】
【従来の技術】
映像、音声等の情報が記録された光ディスクとしては、いわゆるＬＤ(Laser  Disc) ，ＣＤ（Compact   Disc）等が広く普及している。しかしながら、ＬＤ等においては、再生される映像や音声について選択肢を持ち視聴者が選択すること、いわゆるインタラクティブな変化に富んだ再生形態を行うことができなかった。例えば、ＬＤに記録されている外国映画を再生する場合に画面表示する字幕を日本語にするか英語にするかの選択や、記録されている音声を日本語で聞くか英語で聞くかを選択できないのである。
【０００３】
一方、近年、上記ＣＤに対して光ディスクの大きさを変えずに記憶容量を約１０倍に向上させたＤＶＤ（Digital  Video  Disc  又は  Digital  Versatile   Disc）についての提案や開発が盛んに行われている。このＤＶＤに上記複数の言語の字幕や音声と共に再生制御情報を記録しておくことにより、視聴者の選択可能にしておくことによりインタラクティブな変化に富んだ再生を行うことができる。
【０００４】
【発明が解決しようとする課題】
ＤＶＤは記憶容量が大きいため映像情報あるいは音楽情報のみだけでなく、音楽と映像情報を同時に記録することができる。この映像情報及び音楽情報（以下、実体情報と呼ぶ）に対してインタラクティブで変化に富んだ様々な再生形態を実現するために、実体情報の再生手順を示す再生制御情報も記録されている。
【０００５】
この再生制御情報は、多種多様で複雑な機能をより簡単な構造で実現するために階層構造を形成するようにディスク上に記録されている。また、再生制御情報は、階層構造に従って、あるまとまりを持った実体情報毎にディスク上に分散して記録されている。ＤＶＤビデオフォーマットでは、そのインタラクティブ性から非常に多くの機能を実現することができ、多種多様な再生形態をユーザに提示することができる。そのため再生制御情報も複雑なものとならざるを得ない。この再生制御情報は、用意されている全ての再生形態（機能）を実現できるプレーヤを前提にしたものである。
【０００６】
しかしながら、例えば、音声再生専用のＤＶＤプレーヤで、ＤＶＤに記録された映像情報中の音声情報だけを再生（例えば、ある歌手のライブ演奏を収録したＤＶＤから音声情報のみを再生する）しようとする場合、該再生制御情報の中には不要な情報が多く含まれることになる。音声再生専用のＤＶＤプレーヤは映像情報を再生する必要がないので、字幕、マルチアングルなどの映像のインタラクティブ再生に必要な再生制御情報は不要である。
【０００７】
また音声再生専用ＤＶＤプレーヤの場合でも、オーディオ情報だけの再生といっても多種多様な再生形態を実現するための各種情報が再生制御情報に用意されている。また音声専用ＤＶＤプレーヤの中でもリニアＰＣＭの音声情報を２ｃｈステレオの再生形態でしか再生する必要がない簡易型プレーヤにとっては、音声情報の再生制御情報の中から２ｃｈステレオの再生形態に必要な情報だけ選択する処理が発生してしまう。
【０００８】
さらに再生制御情報と実体情報の分散配置が行われているため、例えばディスク全体の総再生時間を知ろうとすると、分散して記録されている各種再生制御情報を集めて計算する必要がある。このように複雑な機能をより簡単に実現するための再生制御情報をディスクに分散して記録する構造では、ディスク全体に関する情報を一括して把握することがかえって複雑な処理が必要になるという問題も発生する。
【０００９】
本発明は、以上の点に鑑みてなされたもので、その課題は、多種多様で複雑な機能を実現できるとともに、限定された一部機能を実現する場合は、より簡単な処理で再生が可能なようにした情報記録媒体、及びその再生装置及び再生方法を提供することにある。
【００１０】
【課題を解決するための手段】
請求項１記載の発明は、主として映像情報及び前記映像情報に付随する音声情報を含むＡＶ情報を記録するビデオ領域と、主として音声情報を記録するオーディオ領域と、を有する記録媒体において、前記ＡＶ情報の再生が可能なビデオプレーヤ用のナビゲーション情報と、前記ビデオ領域の音声情報と前記オーディオ領域の音声情報との再生が可能なオーディオプレーヤ用のナビゲーション情報と、前記ビデオ領域の音声情報と前記オーディオ領域の音声情報を簡易オーディオプレーヤで再生するための簡易オーディオプレーヤ用のナビゲーション情報と、前記ＡＶ情報及び前記音声情報の両方を再生可能なコンパチブルプレーヤ用のナビゲーション情報と、を有することを特徴とする。
【００１１】
請求項１１記載の発明は、請求項１に記載の記録媒体から情報を再生する情報再生装置において、前記ビデオプレーヤ用ナビゲーション情報、前記オーディオプレーヤ用ナビゲーション情報、前記簡易オーディオプレーヤ用ナビゲーション情報及び前記コンパチブルプレーヤ用ナビゲーション情報のいずれかを選択する選択手段と、選択されたナビゲーション情報に基づいて前記記録媒体から記録情報を再生する再生手段と、を有することを特徴とする。
【００１２】
【発明の実施の形態】
以下、図面を参照して本発明の好適な実施形態について説明する。
【００１３】
（１）ＤＶＤビデオフォーマット
始めに、映像情報及び音声情報（音楽情報も含む。以下、同じ）のビデオＤＶＤ上における記録フォーマット（物理的記録フォーマット）について、図１を用いて説明する。
【００１４】
（1.1 ）物理フォーマット
図１に示すように、ビデオＤＶＤ１は、その最内周部にリードインエリアＬＩを有すると共にその最外周部にリードアウトエリアＬＯを有しており、その間がボリュームスペースであり、映像情報及び音声情報が、夫々にＩＤ（識別）番号を有する複数のＶＴＳ（Video Title Set ）３（ＶＴＳ＃１乃至ＶＴＳ＃ｎ）に分割されて記録されている。ここで、ＶＴＳとは、関連する（それに含まれる音声情報及び副映像情報の数や、仕様、対応言語等の属性が同じ）タイトル（映画等の、製作者が視聴者に提示しようとする一つの作品）を一まとめにしたセット（まとまり）である。
【００１５】
リードインエリアＬＩのすぐ外周には当該ディスク内に記録されるファイルのフォーマットを管理する情報を有するＵＤＦ（Universal   Disk  Format）２が記録され、それに続いてＶＭＧ（Video Manager ）３が記録される。このＶＭＧ３として記録される情報は、例えば、ユーザーに対する選択項目を示すメニューや、違法コピー防止のための情報、又は夫々のタイトルにアクセスするためのアクセステーブル等、当該ビデオＤＶＤ１に記録される映像情報及び音声情報の全体に係わる管理情報である。
【００１６】
一のＶＴＳ４は、ＶＴＳＩ（Video Title Set Information）１１を先頭として、夫々にＩＤ番号を有する複数のＶＯＢ（Video OBject）１０に分割されて記録されている。ここで、複数のＶＯＢ１０により構成されている部分をＶＯＢセット（ＶＯＢＳ）という。
【００１７】
ＶＴＳ４の先頭に記録されるＶＴＳＩ１１には、複数のセル（セルについては後述する。）を組みあわせた論理的区分であるプログラムチェインに関する種々の情報である第１の再生制御情報としてのＰＧＣＩ（Program Chain Information）等の情報が記録される。また、各ＶＯＢ１０には、映像情報及び音声情報の実体部分が記録される。
【００１８】
一のＶＯＢ１０は、夫々にＩＤ番号を有する複数のセル２０により構成されている。一のセル２０は、夫々にＩＤ番号を有する複数のＶＯＢユニット（ＶＯＢＵ）３０により構成される。ここで、ＶＯＢＵ３０とは、映像情報、音声情報及び副映像情報（映画における字幕等の副映像の情報をいう。）のいずれか又は後述のナビパックのみにより構成される一つの単位である。
【００１９】
一のＶＯＢＵ３０は、ＶＯＢＵ３０に含まれる映像情報等を制御対象とする制御情報が格納されているナビパック４１と、映像情報としてのビデオデータを含むビデオパック４２と、音声情報としてのオーディオデータを含むオーディオパック４３と、副映像情報としてのサブピクチャデータを含むサブピクチャパック４４とにより構成されている。ここで、ビデオデータとしては映像データのみが記録され、オーディオデータとしては音声データのみが記録される。また、サブピクチャデータとしては副映像としての文字や図形等のグラフィックデータのみが記録される。
【００２０】
各パックＰの先頭に記録されるパックヘッダには、夫々のパックＰに含まれているデータを後述の再生装置におけるトラックバッファから読み出して夫々のバッファへの入力を開始すべき再生時間軸上の読み出し開始時刻を示すＳＣＲ（System Clock Reference）と呼ばれる読み出し開始時刻情報や、パックＰの開始であることを示すスタートコード等が記録される。
【００２１】
ナビパック４１は、再生表示させたい映像又は音声等を検索するための検索情報（具体的には、当該再生表示させたい映像又は音声等が記録されているＤＶＤ１上のアドレス等）であるＤＳＩ（Data Search Information）データ５１と、ＤＳＩデータ５１に基づいて検索された映像又は音声を再生表示する際の再生表示制御に関する情報であるＰＣＩ（Presentation Control Information）データ５０とにより構成される。
【００２２】
一のＶＯＢＵ３０に含まれている全てのビデオパック４２は、一又は複数のＧＯＰ（Group Of Picture）により構成されている。上記ＧＯＰは、本実施の形態におけるＤＶＤ１に映像情報を記録する際に採用されている画像圧縮方式であるＭＰＥＧ２（Moving Picture Experts Group ２）方式の規格において定められている単独で再生可能な最小の画像単位である。
【００２３】
以上説明した図１に示す階層構造の記録フォーマットにおいて、夫々の区分は、ＤＶＤ１内に記録させる記録情報の製作者（以下、単に製作者という。）がその意図に応じて自在に区分設定をして記録させるものである。これらの区分毎に後述の論理構造に基づいて再生することにより、変化に富んだ種々の再生が可能となる。
【００２４】
（1.2 ）論理フォーマット
次に、図１に示す物理的な区分により記録された情報を組みあわせた論理的フォーマット（論理構造）について図２を用いて説明する。なお、図２に示す論理構造は、その構造で実際にＤＶＤ１上に情報が記録されているのではなく、図２に示す論理構造で図１に示す各データ（特にセル２０）を組み合わせて再生するための再生制御情報（アクセス情報又は時間情報等）がＤＶＤ１上の、特にＶＴＳＩ１１の中に記録されているものである。
【００２５】
説明の便宜上、図２の下位の階層から説明していくと、上記図１において説明した物理構造のうち、複数のセル２０を選択して組み合わせることにより、一のプログラム６０が論理上構成される。なお、このプログラム６０を一又は複数個纏めたものを視聴者が自由に選択して視聴することができる最小単位として製作者が定義することもでき、この単位をＰＴＴ（Part of Title ）という。ここで、一のセル２０の番号については、当該セル２０を図１に示す物理フォーマットにおいて取り扱う際にはセルＩＤ番号として取り扱われ（図１中、セルＩＤ＃と示す。）、図２に示す論理フォーマットにおいて取り扱う際には後述のＰＧＣＩ中の記述順にセル番号として取り扱われる。
【００２６】
複数のプログラム６０を組みあわせて一のＰＧＣ（Program Chain ）６１が論理上構成される。このＰＧＣ６１の単位で、前述したＰＧＣＩが定義され、当該ＰＧＣＩには、夫々のプログラム６０を再生する際の各プログラム６０毎のセル２０の再生順序（この再生順序により、プログラム６０毎に固有のプログラム番号が割当てられる。）、夫々のセル２０のＤＶＤ１上の記録位置であるアドレス、一のプログラム６０における再生すべき先頭セル２０の番号、などが含まれている。
【００２７】
一のＰＧＣ６１には、上記ＰＧＣＩの他に、実体的な映像及び音声等のデータがプログラム６０の組みあわせとして（換言すれば、セル２０の組みあわせとして）含まれることとなる。一又は複数のＰＧＣ６１により、一のタイトル６２が論理上構成される。このタイトル６２は、例えば、映像情報で言えば映画一本に相当する単位であり、製作者がＤＶＤ１の視聴者に対して提供する完結した情報である。一又は複数のタイトル６２により、一のＶＴＳ６３が論理上構成される。
【００２８】
図２に示す一のＶＴＳ６３に相当する情報は、図１に示す一のＶＴＳ４に含まれている情報に対応している。すなわち、ＤＶＤ１には、図２に示すＶＴＳ６３内に論理上含まれる全ての情報が一のＶＴＳ４として纏めて記録されていることとなる。
【００２９】
以上説明した論理フォーマットに基づいて、物理構造において区分された情報を製作者が指定することにより、視聴者が見るべき映像又は音楽が形成される。
【００３０】
（２）ＤＶＤオーディオフォーマット
次にオーディオ情報（音楽及び音声情報をも含む。以下、同じ）のオーディオＤＶＤ上における記録フォーマット（物理的記録フォーマット）について、図３を用いて説明する。
【００３１】
（2.1 ）物理フォーマット
始めに、オーディオＤＶＤ上における物理フォーマット（物理的記録フォーマット）について、図３を用いて説明する。
【００３２】
先ず、図３に示すように、実施形態のオーディオＤＶＤ２００は、その最内周部にリードインエリアＬＩを有すると共にその最外周部にリードアウトエリアＬＯを有し、その間は、一のボリュームスペースとなっている。この中に、必ずオーディオゾーンが記録される。このオーディオゾーンに、音声情報が、夫々にＩＤ（識別）番号を有する複数のＡＴＳ（Audio Title Set ）２０３（ＡＴＳ＃１〜ＡＴＳ＃ｎ）に分割されて記録されている。
【００３３】
リードインエリアＬＩのすぐ外周部には、当該ディスク内に記録されるファイルのフォーマットを管理する情報を有するＵＤＦ（Universal Disk Format ）２０１が記録され、それに続いて第２の再生制御情報としてのＳＡＰＰＴ（Simple  Audio   Part  Table）２０４が記録されている。このＳＡＰＰＴはオーディオゾーンを有するＤＶＤディスクに記録されている。なお、図３ではＳＡＰＰＴはオーディオゾーンの先頭位置に記録されているが、これに限らずリードインエリアＬＩ内、又はＡＭＧ２０２の内部に記録してもよい。
【００３４】
続いてＡＭＧ（Audio Manager ）２０２が記録される。このＡＭＧ２０２として記録される情報は、例えば、ユーザに対して項目選択を促すためのメニューや、違法コピー防止のための情報、又は夫々のタイトルにアクセスするためのアクセステーブル等、当該オーディオＤＶＤ２００に記録されている音声情報の全体に係わる管理情報である。
【００３５】
一のＡＴＳ２０３は、ＡＴＳＩ（Audio Title Set Information）２１１を先頭として、夫々にＩＤ番号を有する複数のＡＯＢ（Audio Object）２１０から構成される。ここで、複数のＡＯＢ２１０により構成されている部分をＡＯＢセット（ＡＯＢＳ）という。このＡＯＢセットは音声情報の実体部分である。
【００３６】
ＡＴＳ２０３の先頭に記録されるＡＴＳＩ２１１には、複数のセル（セルについては後述する。）を組みあわせた論理的区分であるプログラムチェインに関する種々の情報である第１の再生制御情報としてのＡＰＧＣＩ（Audio Program Chain Information ）等の情報が記録される。また、各ＡＯＢ２１０には、音声情報の実体部分が記録される。一のＡＯＢ２１０は、夫々にＩＤ番号を有する複数のセル２２０により構成されている。
【００３７】
一のセル２２０は、夫々パック化された複数のオーディオパック２３０または、オーディオパックとリアルタイム情報パック（Real Time Information Pack）２３１により構成される。オーディオパック２３０は、オーディオＤＶＤに記録されるべき音声情報を所定の大きさ毎にパック化したものであり、例えばリニアＰＣＭなどによりデジタル化されたオーディオ情報が含まれる。リアルタイム情報パック２３１には、テキスト情報、ＢＰＭ（Beat Per Minutes）、拍情報、等が含まれる。
【００３８】
以上説明した図３に示す階層構造の記録フォーマットにおいて、夫々の区分は、オーディオＤＶＤ２００内に記録させる記録情報の製作者（以下、単に製作者という。）がその意図に応じて自在に区分設定をして記録できるものである。これらの区分毎に後述の論理構造に基づいて再生することにより、変化に富んだ種々の再生が可能となる。
【００３９】
（2.2 ）論理フォーマット
次に、図３に示す物理的な区分により記録された情報を組みあわせた論理的フォーマット（論理構造）について図４を用いて説明する。なお、図４に示す論理構造は、その構造で実際にオーディオＤＶＤ２００上に情報が記録されているのではない。オーディオＤＶＤ上にはあくまで図３に示す物理フォーマットで音声情報が記録されており、この音声情報を再生するための情報が図４に示す論理フォーマットで、前述したＡＭＧ２０２、ＡＴＳＩ２１１に記録されているのである。
【００４０】
説明の便宜上図４の下位階層から説明していくと、上記図３において説明した物理構造のうち、一のセルまたは複数のセル２２０を選択して組みあわせることにより、インデックス２５９を構成する。インデックスは、曲番としても使うことができ、ユーザによって、アクセス可能な最小の単位である。
【００４１】
一の又は複数のインデックス２５９により一のトラック２６０が論理上構成される。このトラック２６０は一つの曲に相当する情報単位である。ユーザは任意のトラック（曲）を選択し、ダイレクトにアクセスすることができる。ここで、一のセル２２０の番号については、当該セル２２０を図３に示す物理フォーマットにおいて取り扱う際にはセルＩＤ番号として取り扱い（図３中、セルＩＤ＃と示す。）、図４に示す論理フォーマットにおいて取り扱う際には後述のＡＰＧＣＩ中の記述順にセル番号として取り扱う。
【００４２】
トラック２６０（曲）は、複数のセルを含む情報単位であり、ある共通の属性などを有するセルの集合である。すなわちトラック内の全てのセルの属性は、すべて同一である。また、トラックに含まれる全てのセルは、同一のオブジェクト内に、隣接して記録される。
【００４３】
一の又は複数のトラック２６０を組みあわせて一のタイトル２６１が論理上構成される。但し、ユーザから、このタイトル自体が、アクセスの単位として認識されることはない。従って、タイトル番号を指定して任意のタイトルにアクセスすることはできない。
【００４４】
ＤＶＤオーディオフォーマットでは、タイトル２６１を構成する各トラック２６０の属性を最大８パターンの中で独立に定義することができる。すなわち各トラック（曲）毎に、チャンネル数、量子化方法、サンプリング周波数など音声情報としての属性を変更してもよい。
【００４５】
このタイトル２６１の単位で、前述したＡＰＧＣＩが定義され、当該ＡＰＧＣＩには、各トラックの属性、夫々のトラック２６０を再生する際の各トラック２６０毎のセル２２０の再生順序、夫々のセル２２０のオーディオＤＶＤ２００上の記録位置であるアドレス、一のトラック２６０における再生すべき先頭セル２２０の番号、各トラック２６０の再生方式及び各種コマンドが含まれている。
【００４６】
一のタイトル２６１には、上記ＡＰＧＣＩの他に、実体的な音声情報がトラック（曲）２６０の組みあわせとして（換言すれば、セル２２０の組みあわせとして）含まれることとなる。
【００４７】
一又は複数のタイトル２６１により、一のタイトルグループ２６２が論理上構成される。また、タイトルグループ２６２は、ユーザがアクセスできる最大の単位で、１ボリューム中、最大９個まで定義することができる。このタイトルグループ２６２は、ある一定の関連性に基づいて集合された１又は複数のタイトル２６１により構成され、タイトルグループ内の全てのタイトルは、連続的に再生される。例えば、ある歌手、作曲家の曲集などを一つのタイトルグループとして集合させることができる。
【００４８】
一又は複数のタイトルグループ２６２により、一のボリューム２６３が論理上構成される。このボリューム２６３は一枚のアルバム（ＤＶＤ）に相当する情報単位である。図４に示す一のタイトルに含まれる実際の音声情報は、オーディオＤＶＤ上では図３に示したいずれか一のＡＴＳ２０３内に記録されていることになる。
【００４９】
以上説明した論理フォーマットに基づいて、物理構造において区分された情報を製作者が指定することにより、視聴者が聞く音楽が形成される。
【００５０】
（３）ＤＶＤの種類
次に、ＤＶＤにおけるディスクの種類について説明する。なお、以下の説明においては、ＤＶＤ上に記録される情報に関し、映画のように映像と音声の両方を含む情報を「ＡＶ情報」と呼ぶことがあり、その映像部分のみの情報を「ビデオ（又は映像）情報」と呼ぶ。また、映画などのＡＶ情報の音声部分のみ及び音楽のような音声情報のみの情報を「オーディオ（又は音声）情報」と呼ぶ。
【００５１】
また、これらの各種のＤＶＤディスクを再生するＤＶＤプレーヤとしては、ＤＶＤビデオフォーマットによるＡＶ情報の再生が可能なビデオＤＶＤプレーヤ（以下、「ビデオプレーヤ」と呼ぶ。）、ＤＶＤオーディオフォーマットによるオーディオ情報を各種再生形態で再生するオーディオＤＶＤプレーヤ（以下、「オーディオプレーヤ」と呼ぶ。）、ＤＶＤオーディオフォーマットによるＬＰＣＭオーディオ情報を２ｃｈで再生する簡易オーディオＤＶＤプレーヤ（以下、「簡易オーディオプレーヤ」と呼ぶ。）、及び、ＤＶＤビデオフォーマツトのＡＶ情報とＤＶＤオーディオフォーマットのオーディオ情報のどちらも再生可能なコンパチブルＤＶＤプレーヤ（以下、「コンパチブルプレーヤ」と呼ぶ。）の４種類がある。それぞれのＤＶＤプレーヤについては後で詳細に説明する。
【００５２】
ＡＶ情報またはオーディオ情報を記録するＤＶＤとして、ビデオＤＶＤ、オーディオナビゲーション付きビデオＤＶＤ、オーディオオンリーＤＶＤ、オーディオ・ビデオ両用ＤＶＤの４種類のディスクが存在する。図５に、４種類のＤＶＤの物理フォーマットを概略的に示す。なお、これらのＤＶＤはディスク形状や情報記録方式（変調方法、トラツクピッチ、ピットサイズ等）は全て同一であり、情報の内容（コンテンツ）が異なるだけである。
【００５３】
（3.1 ）ビデオＤＶＤ
図５において最上段に示すのは、ビデオＤＶＤである。このディスクにはＤＶＤビデオフォーマットにしたがった映画などのビデオ情報及びそれと同時に再生されるオーディオ情報（即ち、ＡＶ情報）が記録されている。従って、リードインエリアＬＩとリードアウトエリアＬＯとの間の記録領域には、ビデオゾーンしか存在せず、再生制御情報、ビデオ情報及びオーディオ情報が複数のＶＴＳに含めて記録され、それらＶＴＳの管理情報を含むＶＭＧが記録されている。図１を参照して説明したように、ビデオ情報はビデオパックとして、オーディオ情報はオーディオパックとして記録される。
【００５４】
このビデオＤＶＤは、ＶＭＧに記録されている管理情報の中に含まれるナビゲーション情報（再生のための制御情報を規定する情報。後に詳述する。）に基づいてビデオプレーヤ及びコンパチプルプレーヤにより再生される。しかし、ＤＶＤオーディオフォーマットによるナビゲーション情報が記録されていないため、オーディオプレーヤでは再生できない。
【００５５】
（3.2 ）オーディオナビゲーション付きビデオＤＶＤ
２段目に示すのはオーディオナビゲーション付きビデオＤＶＤと呼ばれるビデオディスクの一種である。このオーディオナビゲーション付きビデオＤＶＤは、ビデオプレーヤによるＤＶＤビデオフォーマットによる映画などのビデオ情報（付随するオーディオ情報を含む）の再生が可能なことに加え、ＤＶＤオーディオフォーマットによるナビゲーション情報も記録したことにより、オーディオプレーヤで、ＶＴＳ内のＶＯＢのＡＶ情報のオーディオ情報のみを再生することを可能にしたディスクである。また、オーディオプレーヤによりオーディオ情報のみを再生することが可能なＡＶ情報の部分をオーディオプレイパートと呼ぶ。
【００５６】
オーディオナビゲーション付きビデオＤＶＤの記録形態は、図１に示すＤＶＤビデオフォーマットに準拠して、ビデオゾーン内にＡＶ情報が複数のＶＴＳの形態で記録されている。これに加え、オーディオナビゲーション付きビデオＤＶＤは、オーディオゾーンとしてビデオゾーンの前方に、ＤＶＤオーディオフォーマットに準拠した、ＶＴＳ内のオーディオ情報のみを再生するために必要な第１の再生制御情報を含むＡＴＳＩがＡＴＳとして記録され、ＡＴＳの管理情報としてのＡＭＧが記録されている。ＡＴＳ内にはオーディオ情報の実体部分であるＡＯＢは記録されない。即ち、このＡＭＧ及びＡＴＳＩには、オーディオナビゲーション付きビデオＤＶＤ内の各ＶＴＳに含まれるオーディオ情報（具体的には、各ＶＯＢ内のオーディオプレイパートオーディオパック（図１参照））をオーディオプレーヤで再生するためのナビゲーション情報が記述されている。オーディオゾーン先頭には第２の再生制御情報を含むＳＡＰＰＴが記録されている。
【００５７】
このオーディオナビゲーション付きビデオＤＶＤは、ＶＭＧに記録されているナビゲーション情報及びＶＴＳＩに記録されている第１の再生制御情報に基づいてビデオプレーヤ及びコンパチブルプレーヤで再生される。また、ＡＭＧ内に記録されているナビゲーション情報及びＡＴＳＩに記録されている第１の再生制御情報に基づいてオーディオプレーヤでオーディオプレイパートのオーディオ情報がプレーヤの能力に応じて各種再生形態で再生される。また、ＳＡＰＰＴに記録されている管理情報及び第２の再生制御情報に基づいてポータブル型等の簡易オーディオプレーヤでオーディオプレイパートのＬＰＣＭ情報が２ｃｈで再生される。
【００５８】
（3.3 ）オーディオオンリーＤＶＤ
３段目に示すのは、オーディオオンリーＤＶＤである。このディスクには、若干の静止画像やテキスト情報を除いてオーディオ情報のみが記録されている。従って、リードインエリアＬＩとリードアウトエリアＬＯとの間の記録領域には、ＤＶＤオーディオフォーマットに準拠したオーディオゾーンしか存在せず、ＡＴＳＩ、ＡＯＢが複数のＡＴＳとして記録され、それらＡＴＳの管理情報を含むＡＭＧが記録されている。さらにオーディオゾーン先頭にはＳＡＰＰＴが記録されている。
【００５９】
また、各ＡＴＳはオーディオ情報の実体部分である１又は複数のＡＯＢを含んでいる。このオーディオオンリーＤＶＤは、ＡＭＧに記録されているナビゲーション情報及びＡＴＳＩに記録されている第１の再生制御情報に基づいてオーディオプレーヤ及びコンパチブルプレーヤでオーディオゾーン内のオーディオ情報がプレーヤの能力に応じて各種再生形態で再生される。また、ＳＡＰＰＴに記録されている管理情報及び第２の再生制御情報に基づいてポータブル型等の簡易オーディオプレーヤでオーディオゾーン内のＬＰＣＭ情報が２ｃｈで再生される。
【００６０】
しかし、このオーディオオンリーＤＶＤにはＤＶＤビデオフォーマットによるナビゲーション情報が記録されていないため、ビデオプレーヤでは再生できない。
【００６１】
（3.4 ）オーディオ・ビデオ両用ＤＶＤ
図５の最下段に示すのはオーディオ・ビデオ両用ＤＶＤと呼ばれるものである。リードインエリアＬＩとリードアウトＬＯの間には、オーディオゾーンとビデオゾーンがある。ビデオゾーンにはビデオＤＶＤと同様にＤＶＤビデオフォーマットにしたがったＶＭＧ、第１の再生制御情報及び実体としてのＡＶ情報（ＶＯＢ）を含むＶＴＳが記録されている。
【００６２】
ＤＶＤオーディオフォーマットにしたがったオーディオゾーン先頭には第２の再生制御情報を含むＳＡＰＰＴが記録されている。オーディオゾーンにはオーディオオンリーＤＶＤと同様に、再生制御情報及び実体としてのオーディオ情報を含む複数のＡＴＳ（図ではＡＴＳ＃１、＃２）が記録されるだけでなく、ビデオゾーンのＶＴＳ内のオーディオプレイパートであるＶＯＢのオーディオ情報のみを再生するための再生制御情報だけを含むＡＴＳ（図ではＡＴＳ＃３）も記録されている。すなわち、オーディオ・ビデオ両用ＤＶＤにおいては、ＤＶＤビデオフォーマットによるＡＶ情報とＤＶＤオーディオフォーマットによるオーディオ情報は、別々の領域に記録される。
【００６３】
オーディオ・ビデオ両用ＤＶＤの場合、ＡＭＧはオーディオゾーン内の全てのＡＴＳの管理情報を含んでいるだけでなく、オーディオゾーンとビデオゾーン内の全てのＡＴＳ及びＶＴＳを絡めた管理情報を含んでいる。またＳＡＰＰＴも、オーディオゾーンとビデオゾーン内の全てのＡＴＳ及びＶＴＳを絡めた管理情報を含んでいる。但し、そのＳＡＰＰＴにおける管理情報は、両ゾーンの２ｃｈで再生できるＬＰＣＭデータに関するものだけである。
【００６４】
ここで、オーディオ・ビデオ両用ＤＶＤがオーディオナビゲーション付きビデオディスク及びオーディオオンリーＤＶＤと異なる点は、ディスクの記録領域がオーディオゾーンとビデオゾーンに区分され、夫々にＤＶＤビデオフォーマットによるＡＶ情報とＤＶＤオーディオフォーマットによるオーディオ情報が記録されているという点と、オーディオゾーンに記録されるＡＭＧ、及びＳＡＰＰＴがディスク内の全てのＡＴＳおよびＶＴＳを絡めた管理情報を含んでいるという点である。
【００６５】
より詳しく説明すると、オーディオナビゲーション付きビデオディスクでは、オーディオ情報は、ＤＶＤビデオフォーマットに基づいて、ＶＯＢの中にパツク単位にビデオ情報と多重されて記録されている。そして、ＶＯＢ内に記録されたオーディオ情報を再生するための第１の再生制御情報であるＡＰＧＣＩがＡＴＳＩとしてＡＴＳが構成され、これらのＡＴＳだけをＡＭＧにより管理する。ＡＭＧにはビデオゾーン内のタイトルの管理情報は記録されない。同様にＳＡＰＰＴにもビデオゾーンのオーディオプレイパートに関するナビゲーション情報が記述される。
【００６６】
これに対し、オーディオ・ビデオ両用ＤＶＤではＤＶＤオーディオフォーマットによるオーディオ情報とＤＶＤビデオフォーマットによるＡＶ情報の記録される領域が別個に存在する。オーディオゾーンには、図３に示したＤＶＤオーディオフォーマットによりオーディオ情報の実体部分が複数のＡＯＢとして各ＡＴＳに記録される。さらに、各ＡＴＳ内のオーディオ情報の再生制御情報であるＡＰＧＣＩをＡＴＳＩ内に記録したＡＴＳだけでなく、ビデオゾーンのＶＴＳ内のＶＯＢに記録されたオーディオ情報を再生するための第１の再生制御情報をＡＰＧＣＩとしてＡＴＳＩ内に記録したＡＴＳ（オーディオ実体情報がビデオゾーン内にあり、ナビゲーション情報であるＡＴＳＩのみがＡＴＳとして存在している。）の二種類のＡＴＳが記録されている。すなわちゾーンに関わらずオーディオ情報を再生するための第１の再生制御情報の全てをＡＴＳをＡＭＧにより管理する。
【００６７】
さらに、全てのＡＴＳ，ＶＴＳに記録されているＬＰＣＭオーディオ情報の再生に関わるトラックのうち２ｃｈで再生することのできるトラックに関する情報が第２の再生制御情報としてＳＡＰＰＴに記録されている。
【００６８】
一方、ビデオゾーン内は、ＡＶ情報が複数のＶＴＳとして記録され、さらに各ＶＴＳ内のＡＶ情報を再生するための第１の再生制御情報をＰＧＣＩとしてＶＴＳＩ内に記録し、これらＶＴＳ全てをＶＭＧで管理している。また、ＡＭＧでもビデオゾーンのＡＶ情報再生に関する第１の再生制御情報の全てを管理している。具体的には、オーディオオンリーＤＶＤ、オーディオ・ビデオ両用ＤＶＤの場合には、ＡＭＧが総合管理情報となり、ビデオＤＶＤの場合には、ＶＭＧが主たる管理情報となる。オーディオナビゲーション付きビデオＤＶＤの場合、ＡＭＧはオーディオプレーヤによるＶＯＢ内のオーディオ情報（オーディオタイトル）だけの再生についてのみ管理しており、ビデオタイトルの管理は行わない。
【００６９】
またオーディオオンリーＤＶＤ、オーディオ・ビデオ両用ＤＶＤの場合には、ＳＡＰＰＴは、簡易オーディオプレーヤによる、ＬＰＣＭオーディオ情報を２ｃｈで再生するための総合管理情報となる。ビデオＤＶＤの場合には、ＳＡＰＰＴが無いためＬＰＣＭで記録されていても、簡易プレーヤによる、オーディオ情報だけの再生を行うことはない。オーディオナビゲーション付きビデオＤＶＤの場合、ＳＡＰＰＴは簡易オーディオプレーヤによるＶＯＢ内のオーディオプレイパートのＬＰＣＭオーディオ情報（オーディオタイトル）の再生についてのみ管理しており、ビデオタイトルの管理は行わない。
【００７０】
このような構造をとることで、再生装置の能力に応じて最適な再生ができ、なおかつ各ディスクと各再生装置との間で整合性のある互換性が、実現されている。
【００７１】
（４）タイトルの再生制御
次に、第一の再生制御情報を用いたタイトルの再生制御についてさらに詳しく説明する。ここで、タイトルとは、ＤＶＤに記録されるＡＶ情報、オーディオ情報等の実体情報と、その再生手順を示す再生制御情報とから構成され（図２におけるタイトル６２、図４におけるタイトル２６１を参照）、再生形態の共通な一連の作品（プレゼンテーション）または作品の一部を指す。そこでＤＶＤオーディオフォーマットにおけるタイトル、及びタイトルの再生制御についてオーディオビデオ両用ディスクを例に説明する。
【００７２】
（4.1 ）タイトルの種類
まず、オーディオＤＶＤにおけるタイトル（図４のタイトル２６１）は、オーディオゾーン内の音声情報の再生により構成されるオーディオタイトル（以後「ＡＯＴＴ（Audio Only TiTle）」とも呼ぶ）と、ビデオゾーン内のＡＶ情報の再生により構成されるビデオタイトルとに分類される。またビデオタイトルは、画像専用タイトル（以後「ＡＶＴＴ（Audio Video TiTle ）」とも呼ぶ）と、画像音声両用タイトル（以後「ＡＶＴＴ／ＡＯＴＴ（Audio Video TiTle/Audio Only TiTle）」とも呼ぶ）の２種類に分類される。なお、ＤＶＤビデオフォーマットの場合は画像専用タイトル（ＡＶＴＴ）のみである。
【００７３】
ＡＯＴＴは、オーディオ情報のみが再生されるタイトルであり、その実体情報はオーディオゾーン内のＡＯＢに記録されたオーディオ情報により構成される。
【００７４】
ＡＶＴＴは、オーディオ情報が必ずビデオ情報を伴って再生されるタイトルであり、その実体情報はビデオゾーン内のＶＯＢに記録されたＡＶ情報により構成される。ＡＶＴＴではオーディオ情報のみの再生は認められず、ビデオ情報と共に再生することが必須となる。
【００７５】
ＡＶＴＴ／ＡＯＴＴは、オーディオ情報のみでも再生することもでき、ＡＶ情報としてビデオ情報と共にオーディオ情報を再生することもできるタイトル（即ち、両用タイトルということができる）であり、いずれの場合もその実体情報はビデオゾーン内のＶＯＢに記録されたＡＶ情報により構成される。このＡＶＴＴ／ＡＯＴＴが、ＡＶ情報、オーディオ情報のどちらとして再生されるかは、再生装置の能力に依存する。すなわち、ＡＶ情報の再生能力を有しない再生装置（オーディオプレーヤ）ではＡＶＴＴ／ＡＯＴＴをオーディオ情報のみで再生し、ＡＶ情報の再生能力を有する再生装置（ビデオプレーヤ及びコンパチブルプレーヤ）ではＡＶＴＴ／ＡＯＴＴをビデオ情報と共にオーディオ情報を伴って再生する。
【００７６】
ところで、ＡＭＧには、オーディオプレーヤ用のナビゲーション情報と、コンパチブルプレーヤ用のナビゲーション情報の２つのナビゲーション情報を別個に記録している。オーディオプレーヤ用のナビゲーション情報は、オーディオゾーンのＡＯＢ内のオーディオ情報により構成されるオーディオタイトル（ＡＯＴＴ）及びビデオゾーンのＶＯＢ内のＡＶ情報により構成される両用タイトルの音声情報だけを再生するためのナビゲーション情報を記述したオーディオタイトルサーチポインタであり、これはオーディオオンリータイトルサーチポインタテーブル（ＡＯＴＴ＿ＳＲＰＴ）に記録される。全ての種類のタイトルを再生可能なコンパチブルプレーヤ用のナビゲーション情報であるオーディオタイトルサーチポインタは、オーディオタイトルサーチポインタテーブル（ＡＴＴ＿ＳＲＰＴ）に記録される。これらのナビゲーション情報については図８の説明にてさらに詳述する。
【００７７】
このオーディオ・ビデオ両用ＤＶＤをビデオプレーヤで再生する場合には、ビデオゾーン内のＶＭＧに記録されているビデオプレーヤ用のナビゲーション情報及びＶＴＳＩに記録されている第１の再生制御情報であるＰＧＣＩに従って各ＶＴＳ内のＡＶ情報を再生する。また、このオーディオ・ビデオ両用ＤＶＤをオーディオプレーヤで再生する場合には、オーディオゾーン内のＡＭＧ内のＡＯＴＴ＿ＳＲＰＴを参照し、ＡＴＳＩに記録されているオーディオプレーヤ用の第１の再生制御情報であるＡＰＧＣＩに従ってオーディオ情報を再生する。オーディオプレーヤによりオーディオ情報を再生する場合には、２つの場合がある。一つは、オーディオタイトル（ＡＯＴＴ）を再生する場合であり、オーディオゾーンのＡＭＧのナビゲーション情報である及びＡＴＳＩに記録されている第１の再生制御情報であるＡＰＧＣＩに従ってＡＯＢ内のオーディオ情報を再生する場合である。もう一つは、オーディオビデオ両用タイトル（ＡＶＴＴ／ＡＯＴＴ）を再生する場合であり、オーディオナビゲーション付きビデオディスクと同様に、オーディオゾーンのＡＭＧのナビゲーション情報である及びＡＴＳＩに記録されている第１の再生制御情報であるＡＰＧＣＩに従ってビデオゾーン内のＶＴＳに記録されたオーディオ情報を再生する場合である。後者の場合は、同じオブジェクトに対して、ビデオプレーヤでは画像を伴うＡＶ情報として再生し、オーディオプレーヤではオーディオ情報のみを再生する。
【００７８】
さらに、このオーディオ・ビデオ両用ＤＶＤをコンパチブルプレーヤで再生する場合には、オーディオゾーン内のＡＭＧ内のコンパチブルプレーヤ用のナビゲーション情報であるＡＴＴ＿ＳＲＰＴを参照し、ＡＴＳＩ、ＶＴＳＩに記録されている再生制御情報に従って、オーディオゾーン内のオーディオ情報及びビデオゾーン内のＡＶ情報が統合的に再生される。オーディオ・ビデオ両用ＤＶＤにおけるタイトルは、全てＡＭＧにより管理されており、ＤＶＤオーディオフォーマットの上記３種類のタイトルのいずれかに分類される。
【００７９】
今、ＤＶＤオーディオフォーマット及びＤＶＤビデオフォーマットの両方の再生能力を有するコンパチブルプレーヤを使用して図６に示す論理フォーマット例を有するオーディオ・ビデオ両用ＤＶＤを再生する場合を考える。このオーディオ・ビデオ両用ＤＶＤにおいて、ボリユームは＃１〜＃７の７つのタイトルグループから構成されており、各タイトルグループは１つのタイトルにより構成されているものとする。１つのタイトルには１又は複数のトラックが含まれている。図６において、左列はコンパチプルプレーヤ用のナビゲーション情報（ＡＴＴ＿ＳＲＰＴ）、中央の列はビデオプレーヤ用のナビゲーション情報（ＴＴ＿ＳＲＰＴ）、右の列はオーディオプレーヤ用のナビゲーション情報（ＡＯＴＴ＿ＳＲＰＴ）のイメージを示したものである。
【００８０】
タイトル＃２及び＃５はＡＯＴＴであるので、これらのタイトルの再生時にはオーディオ・ビデオ両用ＤＶＤのオーディオゾーン内のＡＯＢに記録されたオーディオ情報のみが再生される。タイトル＃４、＃６及び＃７はＡＶＴＴであるので、オーディオ・ビデオ両用ＤＶＤのビデオゾーン内のＶＯＢ内に記録されたＡＶ情報が再生される。従って、必ず映像及び音声が再生されることになる。タイトル＃１及び＃３はＡＶＴＴ／ＡＯＴＴであるので、コンパチブルプレーヤはオーディオ・ビデオ両用ＤＶＤのビデオゾーン内のＶＯＢに記録されたビデオ及びオーディオ情報に基づき、音声と映像の両方を再生する。
【００８１】
ビデオ情報の再生能力を有しないオーディオプレーヤを使用した場合は、タイトル＃１及び＃３では、オーディオ・ビデオ両用ＤＶＤのビデオゾーン内のＶＯＢに記録されたオーディオ情報のみが再生される（図６の右列参照）。即ち、ＡＶＴＴ／ＡＯＴＴタイトルは、当該ＤＶＤディスクを再生しようとする再生装置の能力に応じて、その能力を最大限に発揮できる方法で記録情報を再生するように作成されている。
【００８２】
なお、タイトルグループ再生時の混乱を無くすため、ＡＶＴＴは他の種類のタイトル（ＡＯＴＴ、ＡＶＴＴ／ＡＯＴＴ）とタイトルグループを構成することができないことが約束されている。
【００８３】
（4.2 ）ＶＯＢの二重管理
次に、オーディオ・ビデオ両用ＤＶＤのビデオゾーン内のＶＯＢに関して規定されるＰＧＣＩ及びＡＰＧＣＩの概念について説明しておく。ＶＯＢ内には、ビデオデータ及びオーディオデータが多重された形で記録されている。ＶＯＢをＡＶ情報として再生する場合には、ＰＧＣＩに従って再生することとなり、これは、ビデオＤＶＤの場合と同様の概念である。このようにオーディオＤＶＤにおけるＡＶ情報の記録及び再生の仕方をビデオフォーマットに合わせたため、ビデオプレーヤとの互換性が保たれることになった。これに対しＶＯＢ内のオーディオ情報のみを再生する場合にはＡＰＧＣＩに従って再生を行うが、このＡＰＧＣＩはＰＧＣＩとは独立に規定される。これについて、図７を参照して説明する。
【００８４】
図７はある一つのＶＯＢを、ＰＧＣＩに従ってＡＶ情報として再生する場合と、ＡＰＧＣＩに従ってオーディオ情報のみとして再生する場合のプログラムの概念を示している。図７において、ＶＯＢにはビデオデータ、サプピクチャデータ及びオーディオデータが含まれている。このＶＯＢをＡＶ情報として再生する場合には、その再生制御はＰＧＣＩに基づいて行われる。ＰＧＣＩでは、当該ＶＯＢを６個のビデオセル＃１−＃６に分割し、ビデオセル＃１によりビデオプログラム＃１を、ビデオセル＃２−＃４によりビデオプログラム＃２を、ビデオセル＃６によりビデオプログラム＃３を構成している。ＡＶＴＴ／ＡＯＴＴの如き、ビデオプレーヤやコンパチプレーヤでＡＶ情報を再生する場合は、このようなＰＧＣＩに従って再生が行われる。
【００８５】
一方、同一のＶＯＢからオーディオプレーヤがオーディオ情報のみを再生する場合には、ＡＰＧＣＩに従って再生が行われる。ＡＰＧＣＩにより規定されるオーディオプログラムは夫々１又は２以上のオーディオセルにより構成される。ここで、同一のオブジェクト（ＶＯＢ）に対してであっても、オーディオセルがビデオセルと異なるように（独立に）規定することができる（もちろん一致するように規定することも可能である）。即ち、各オーディオセルの開始位置、終了位置などは、いずれのビデオセルとも独立に設定することができる。また、ＡＰＧＣＩにより規定されるオーディオセルの再生順序は、ＰＧＣＩにより規定されるビデオセルの再生順序と独立に規定することが可能である。
【００８６】
図７の例では、オーディオプログラム＃１はオーディオセル＃１及び＃２により構成され、オーディオプログラム＃２はオーディオセル＃３により構成される。ＡＰＧＣＩは、これらオーディオプログラムに含まれるオーディオセルの記録位置、再生順序などの情報を含んでおり、これに基づいてオーディオ情報の再生が行われる。
【００８７】
このように、オーディオセルをビデオセルと独立に規定することができるようにした理由は、オーディオ情報をＡＶ情報と独立に管理するためである。こうすることにより、ＶＯＢ内のオーディオ情報のみを再生する場合にＡＶ情報とは独立に時間管理などを行うことが可能となり、また、ＡＶ情報に含まれるオーディオ情報のうち、オーディオ情報のみで再生しても意味のある部分のみの再生が可能となるからであり、もちろん同一セルとして定義することであっても良い。
【００８８】
（4.3 ）第１の再生制御情報
次にオーディオ・ビデオ両用ＤＶＤにおける上述の各タイトルの、第1 の再生制御情報を用いる再生制御について、図６及び図８を参照して説明する。ここで、第1 の再生制御情報とは上述のＡＭＧ内のＡＴＴ＿ＳＲＰＴ及びＡＯＴＴ＿ＳＲＰＴ、ＶＭＧ内のＴＴ＿ＳＲＰＴとＡＴＳ内のＡＰＧＣＩ、ＶＴＳ内のＰＧＣＩのことを指す。
【００８９】
図８に、オーディオ・ビデオ両用ＤＶＤのナビゲーション情報の例を示す。前述のように、オーディオ・ビデオ両用ＤＶＤは、ＤＶＤビデオフォーマットに従うビデオゾーン及びＤＶＤオーディオフォーマットに従うオーディオゾーンを有する。オーディオ・ビデオ両用ＤＶＤから再生可能な情報は、映画などのＡＶ情報（音声付き映像情報）とオーディオ情報である。そして、それぞれの情報を各種プレーヤで再生したとき、混乱や矛盾が生じないようにするためのナビゲーション情報が、各プレーヤに対応して別個にオーディオ・ビデオ両用ＤＶＤ上に記録されている。
【００９０】
（4.3.1 ）ＡＭＧ、ＡＴＳＩ、タイトルサーチポインタテーブル
図８において、オーディオ・ビデオ両用ＤＶＤはオーディオゾーンとビデオゾーンとを有する。オーディオゾーンはＳＡＰＰＴ２０４、ＡＭＧ２０２、ＡＴＳ＃１、ＡＴＳ＃２、ＡＴＳ＃３から構成され、ＡＴＳ＃１はＡＴＳＩ２１１と、ＡＯＢ２１０とから構成され、ＡＴＳ＃３はＡＴＳＩ２１２だけから構成される。また、ビデオゾーンはＶＭＧ３とＶＴＳ＃１、ＶＴＳ＃２から構成され、ＶＴＳ＃１は、ＶＴＳＩ１１と、ＶＯＢ１０とから構成される。
【００９１】
ＡＭＧ２０２は、ナビゲーション情報の実体部分であるＡＭＧＩ（AMG Information ）２４０を含む。ＡＭＧＩ２４０は、ＡＭＧＩ２４０のファイルサイズや記録アドレスなどの情報を含むＡＭＧＩマネージメントテーブル２４１と、ＡＴＴサーチポインタテーブル２４２と、ＡＯＴＴサーチポインタテーブル２４３と、を含む。ここでＡＴＴとは、オーディオ情報のみから構成されるオーディオタイトル（ＡＯＴＴ）、ＡＶ情報から構成される画像専用タイトル（ＡＶＴＴ）及びＡＶ情報から構成される画像音声両用タイトル（ＡＶＴＴ／ＡＯＴＴ）の総称である。
【００９２】
ここで、サーチポインタとは、各タイトルの再生制御情報（ここでは、ＡＰＧＣＩ、ＰＧＣＩのことを指す。）のＤＶＤ上の記録位置を示すポインタである。前述のように、各タイトルは、オーディオ情報、ＡＶ情報などの実体情報と、それらの実体情報を組み合わせて再生するための再生制御情報により構成される。この再生制御情報は、ＡＴＳ内のＡＴＳＩ又はＶＴＳ内のＶＴＳＩに記録されている。サーチポインタは、各タイトルの再生制御情報のＡＴＳＩ又はＶＴＳＩ内の記録位置を示すポインタである。なお、ナビゲーション情報は、各タイトルの再生を管理するための情報であり、本実施形態では上記サーチポインタを含む概念である。
【００９３】
ＡＴＴサーチポインタテーブル２４２は、当該オーディオ・ビデオ両用ＤＶＤの各タイトルをコンパチブルプレーヤで再生する場合のナビゲーション情報を記述したテーブルである。一方、ＡＯＴＴサーチポインタテーブル２４３は、当該オーディオ・ビデオ両用ＤＶＤの各タイトルをオーディオプレーヤで再生する場合のナビゲーション情報を記述したテーブルである。また、ＡＴＴサーチポインタテーブル２４２と、ＡＯＴＴサーチポインタテーブル２４３とは１：１対応しておりＡＴＴサーチポインタテーブル内に記述されるサーチポインタの数は当該オーディオ・ビデオ両用ＤＶＤに含まれる全てのタイトルの数と一致する。例えば、図６に示すように、当該オーディオ・ビデオ両用ＤＶＤに合計７個のタイトルが含まれていれば、ＡＴＴサーチポインタテーブル２４２内にはその７個のタイトルに対応するサーチポインタが記述され、そのタイトルの種類に関わらずＡＯＴＴサーチポインタテーブル２４３にも７個のサーチポインタを記述する枠が用意される。そしてそれぞれのテーブルの枠は１：１に対応している。
【００９４】
（4.3.1.1 ）ＡＴＴ＿ＳＲＰ
オーディオタイトルサーチポインタ（ＡＴＴ＿ＳＲＰ）は、オーディオ・ビデオ両用ＤＶＤをコンパチブルプレーヤで再生する際に使用するナビゲーション情報である。従って、オーディオ・ビデオ両用ＤＶＤがセットされると、コンパチブルプレーヤはこのＡＴＴ＿ＳＲＰを参照して各タイトルの再生を行う。図８に示すナビゲーション情報の例は、図６に示すオーディオ・ビデオ両用ＤＶＤの例に対応するものであり、タイトル＃１、＃２が画像音声両用タイトル（ＡＶＴＴ／ＡＯＴＴ）、タイトル＃２、＃５がオーディオタイトル（ＡＯＴＴ）、タイトル＃４、＃６、＃７が画像専用タイトル（ＡＶＴＴ）である。
既に述べたように、オーディオ・ビデオ両用ＤＶＤには３種類のタイトル（ＡＯＴＴ、ＡＶＴＴ／ＡＯＴＴ、ＡＶＴＴ）を記録することができる。よって、オーディオ・ビデオ両用ＤＶＤでは、ＡＭＧのＡＴＴサーチポインタテーブル２４２に、３種類全てのタイトル（ＡＯＴＴ、ＡＶＴＴ／ＡＯＴＴ、ＡＶＴＴ）に関するサーチポインタが記述される。
【００９５】
しかしながら、図８のＡＴＴサーチポインタテーブル２４２に実際に書かれるタイトルサーチポインタ２４５は、オーディオタイトルサーチポインタ（ＡＯＴＴ＿ＳＲＰ）または画像専用タイトルサーチポインタ（ＡＶＴＴ＿ＳＲＰ）のみであり、画像音声両用タイトル（ＡＶＴＴ／ＡＯＴＴ）についてのタイトルサーチポインタは画像専用タイトルサーチポインタ（ＡＶＴＴ＿ＳＲＰ）として記述される（実際の記述を図８のテーブル中に括弧書きで示している）。これは、コンパチブルプレーヤにとっては画像音声両用タイトル（ＡＶＴＴ／ＡＯＴＴ）と画像専用タイトル（ＡＶＴＴ）を区別する必要が無いからである。即ち、コンパチブルプレーヤはＤＶＤビデオフォーマットの再生能力を有しており、画像音声両用タイトルは全てビデオ情報として再生するため、ナビゲーション情報としては画像専用タイトルサーチポインタ（ＡＶＴＴ＿ＳＲＰ）と区別する必要が無いからである。従って、画像の再生を伴うタイトルに関しては、全て画像専用タイトルサーチポインタ（ＡＶＴＴ＿ＳＲＰ）として共通の書式で記述される。
【００９６】
従って、図６の左列と図８のオーディオタイトルサーチポインタテーブル２４５とを対比すると分かるように、コンパチブルプレーヤ用のナビゲーション情報を記述するＡＴＴサーチポインタテーブル２４２では、画像専用タイトル（タイトル＃４、６、７）及び画像音声両用タイトル（タイトル＃１、３）については画像専用タイトルサーチポインタ（ＡＶＴＴ＿ＳＲＰ）が記述され、オーディオタイトル（タイトル＃２、５）についてはオーディオタイトルサーチポインタ（ＡＯＴＴ＿ＳＲＰ）が記述される。コンパチブルプレーヤは、このテーブル２４２を参照し、図６の左列に示すように、タイトル＃１、３、４、６、７をＡＶ情報として再生し、タイトル＃２、＃５をオーディオ情報として再生する。
【００９７】
（4.3.1.2 ）ＡＯＴＴ＿ＳＲＰ
ＡＯＴＴサーチポインタテーブル２４３には、オーディオプレーヤ用のナビゲーション情報であるオーディオタイトルサーチポインタ（ＡＯＴＴ＿ＳＲＰ）が記述されている。よって、オーディオ・ビデオ両用ＤＶＤがセットされると、オーディオプレーヤはこのＡＯＴＴサーチポインタテーブル２４３を参照して再生を行う。
【００９８】
このテーブルには、オーディオタイトル（ＡＯＴＴ）及び画像音声両用タイトル（ＡＶＴＴ／ＡＯＴＴ）に関するサーチポインタが記述される。オーディオプレーヤはＡＶ情報の再生能力を有しないので、画像専用タイトル（ＡＶＴＴ）についてのサーチポインタの記述は必要が無い。しかし、このテーブルに実際に書かれるサーチポインタは、ＡＯＴＴサーチポインタ（ＡＯＴＴ＿ＳＲＰ）だけである。オーディオプレーヤにとっては、音声のみを再生できるタイトルであるか否かについての情報だけがあれば良く、オーディオタイトル（ＡＯＴＴ）と画像音声両用タイトル（ＡＶＴＴ／ＡＯＴＴ）を区別する必要が無い。従って、オーディオオンリータイトルサーチポインタテーブル（ＡＯＴＴ＿ＳＲＰＴ）２４３上では、オーディオタイトル（ＡＯＴＴ）、画像音声両用タイトル（ＡＶＴＴ／ＡＯＴＴ）を区別せず、全てＡＯＴＴサーチポインタ（ＡＯＴＴ＿ＳＲＰ）として共通な書式で記述される。従って、画像音声両用タイトル（ＡＶＴＴ／ＡＯＴＴ）については、上記のＡＴＴサーチポインタテーブル２４２内では画像専用タイトルサーチポインタ（ＡＶＴＴ＿ＳＲＰ）が記述されるが、ＡＯＴＴサーチポインタテーブル２４３内ではオーディオタイトルサーチポインタ（ＡＯＴＴ＿ＳＲＰ）が記述されることになる。
【００９９】
なお、画像専用タイトル（ＡＶＴＴ）については、タイトルサーチポインタを書く枠だけが用意されているものの、実体的な情報は記述されないか、若しくは、このタイトルはＡＯＴＴ＿ＳＲＰを持っていない（音声だけの再生はできない）旨が記述される。ＡＯＴＴサーチポインタテーブル２４３はオーディオプレーヤ用のナビゲーション情報を記述するものであり、オーディオプレーヤはＡＶ情報の再生は不能だからである。よって、オーディオプレーヤはこのタイトルを再生できないと判断し、この記述を無視する。
【０１００】
以上のように記述されたＡＯＴＴタイトルサーチポインタテーブル２４３を参照して、オーディオプレーヤは図６の右列に示す再生を行う。即ち、画像専用タイトル＃４、６、７を無視し、タイトル＃１、２、３、５についてオーディオ情報を再生する。
【０１０１】
（4.3.2 ）ＶＭＧ、ＶＴＳＩ、タイトルサーチポインタ
ＶＭＧ３は、ナビゲーション情報の実体部分であるＶＭＧＩ（VMG   Information ）を含む。ＶＭＧＩは、ＶＭＧＩのファイルサイズや記録アドレスなどの情報を含むＶＭＧＩマネージメントテーブル２５０と、タイトルサーチポインタテーブル（ＴＴ＿ＳＲＰＴ）２５１とを含む。タイトルサーチポインタテーブル２５１は、ビデオプレーヤについてのナビゲーション情報を記述したテーブルである。よって、ビデオプレーヤは、このタイトルサーチポインタテーブル（ＴＴ＿ＳＲＰＴ）２５１を参照し、従来のＤＶＤビデオフォーマットで決められた手順に従ってタイトルの再生を行う。従って、ここでいうタイトルは、画像音声両用タイトル（ＡＶＴＴ／ＡＯＴＴ）と画像専用タイトル（ＡＶＴＴ）の２種類であるが、タイトルサーチポインタテーブル（ＴＴ＿ＳＲＰＴ）２５１には、この２つを区別することなく、全てＴＴ＿ＳＲＰとして記述されるということになる。
【０１０２】
このように、オーディオ・ビデオ両用ＤＶＤでは、オーディオプレーヤ、ビデオプレーヤ、コンパチブルプレーヤそれぞれにとって、最適なナビゲーション情報を準備し、３つの別個のタイトルサーチポインタテーブルとして記録している。これにより、各再生装置の能力に応じて最適な再生が行うことができる。
【０１０３】
（4.4 ）サーチポインタテーブルの構造
次にサーチポインタテーブルの構造についてさらに群しく説明する。
【０１０４】
（4.4.1 ）ＡＴＴ＿ＳＲＰＴ、ＡＯＴＴ＿ＳＲＰＴ、ＴＴ＿ＳＲＰＴ
ＡＴＴサーチポインタテーブル２４２は、ＡＴＴサーチポインタの数などの情報を含むＡＴＴサーチポインタ情報（ＡＴＴ＿ＡＲＰＴＩ）２４４と、複数のＡＴＴサーチポインタ２４５とを含む（図８においては複数の各種のサーチポインタ２４５をまとめてＡＴＴ＿ＳＲＰＳと記載している）。なお、図８において、各ＡＴＴサーチポインタの括弧内は、実際に当該サーチポインタとして記載されるサーチポインタの種類を示す。前述したようにＡＴＴサーチポインタテーブル２４２に書かれるサーチポインタは、ＡＯＴＴ＿ＳＲＰ又はＡＶＴＴ＿ＳＲＰのいずれかである。
【０１０５】
ＡＯＴＴサーチポインタテーブル２４３は、同様にＡＯＴＴサーチポインタの数などの情報を含むＡＯＴＴサーチポインタ（ＡＯＴＴ＿ＡＲＰＴＩ）情報２４６と、複数のＡＯＴＴサーチポインタ２４７とを含む（図８においては複数のＡＯＴＴサーチポインタ２４７をまとめてＡＯＴＴ＿ＳＲＰＳと記載している）。図８において、各ＡＯＴＴサーチポインタの括孤内も、実際に当該サーチポインタとして記述されるサーチポインタの種類を示す。前述のように、ＡＯＴＴサーチポインタテーブルに書かれるサーチポインタは、全てＡＯＴＴ＿ＳＲＰＴである。
【０１０６】
同一のタイトルを指定するＡＴＴサーチポインタとＡＯＴＴサーチポインタの各サーチポインタテーブル上における位置は、同じでなくてはならない。即ち、ＡＴＴサーチポインタテーブル２４２上のＡＴＴサーチポインタと、ＡＯＴＴサーチポインタテーブル２４３上のＡＯＴＴサーチポインタとは、１：１で対応しており、ＡＴＴ＿ＳＲＰＴ＃１とＡＯＴＴ＿ＳＲＰＴ＃１は同一のタイトルを指定する。
【０１０７】
ＴＴサーチポインタテーブル２５１は、同様にＴＴサーチポインタの数などの情報を含むＴＴサーチポインタ情報（ＴＴ＿ＳＲＰＴＩ）２５２と、複数のＴＴサーチポインタ２５４とを含む（図８においては複数のＴＴサーチポインタ２５４をまとめてＴＴ＿ＳＲＰＳと記載している）。
【０１０８】
ＡＴＴサーチポインタ２４５とＡＯＴＴサーチポインタ２４７とは１：１で対応しているが、両者とＴＴサーチポインタとの間には必ずしも１：１の対応関係は存在しない。しかし、ＴＴサーチポインタも、対象となるタイトルを論理的に構成するＰＧＣを示すことでその再生手順を示しているという点ではＡＴＴサーチポインター、ＡＯＴＴサーチポインターと同じである。
【０１０９】
（4.5 ）第１の再生制御情報を用いた各タイトルの再生方法
次に、図６及び８を参照し、オーディオ・ビデオ両用ＤＶＤに記録可能な３種類のタイトルの各々の再生方法について、それらタイトルを再生可能なプレーヤ毎に分類して説明する。
【０１１０】
（4.5.1 ）オーディオタイトル（ＡＯＴＴ）の再生方法
ＡＯＴＴを再生できるのは、オーディオプレーヤとコンパチブルプレーヤである。ＡＯＴＴはオーディオ情報再生のためのタイトルであり、第２の再生制御情報ＳＡＰＰＴもＡＯＴＴの再生を対象としている。しかし第２の再生制御情報は、その一部の再生形態だけ実現するのに必要な情報のみで構成されている。これに対し第一の再生制御情報は、ＤＶＤオーディオフォーマットで扱う全ての再生形態が可能なように、必要な情報の全てを記述できる構造となっている。第１の再生制御情報で実現できるオーディオタイトルの主な再生形態（機能）は、以下のものがある。但し画像音声両用タイトル（ＡＶＴＴ／ＡＯＴＴ）のオーディオプレーヤでの再生において、実現できる再生形態も含む。
【０１１１】
・マルチチャンネル再生
ＤＶＤオーディオフォーマットにおいて、ビデオゾーンのＬＰＣＭオーディオ情報は、最大８ｃｈ可能である。ディスクリートマルチチャンネルとしては、最大６ｃｈ可能である。この場合、各チャンネルに対して前方３チャンネル＋後方２チャンネル＋サブウーハの組み合わせのから１１パターンが、またディスクリートマルチチャンネルの部分と２ｃｈ再生用の信号との組み合わせから１３パターン計２４パターンの設定が可能である。オーディオゾーンのＬＰＣＭオーディオ情報は、最大６チャンネル可能であり、各チャンネルに対して前方３チャンネル＋後方２チャンネル＋サブウーハの組み合わせの中で２１パターンが可能である。
【０１１２】
・２ｃｈ再生
２ｃｈ以下のＬＰＣＭオーディオ情報をそのまま再生する。ビデオゾーンのマルチチャンネルＬＰＣＭオーディオ情報は、ＣＨ０，ＣＨ１の２ｃｈのみ再生し、オーディオゾーンのマルチチャンネルＬＰＣＭオーディオ情報は、トラック単位で別々に定義されるダウンミックス係数に基づいて２ｃｈにダウンミックスし２ｃｈとして再生する。
【０１１３】
・オーディオセレクション
ＤＶＤオーディオフォーマットでは、２つの異なった再生形態のオーディオ情報を一つのタイトルとして定義し、ユーザが選択することができる。この機能をオーディオセレクションと呼ぶ。具体的には、ユーザーが同一の曲に対して２ｃｈとマルチチャンネルの異なった再生形態を選択することができる。また２ｃｈとマルチチャンネル以外の選択としては、同一の曲に対してＬＰＣＭ記録のオーディオ情報と他のコーディング方式（圧縮音声や１ビット音声など）で記録されたオーディオ情報とを選択し聞くこともできる。
【０１１４】
・曲毎の属性の変更
ＤＶＤオーディオフォーマットでは、曲毎に標本化周波数ｆｓや、量子化のビット数Ｑｂ又はチャンネル数を変更することができる。属性が異なる曲同士は、連続的に再生されるが曲間において、属性の変更に対応するため無音となることがある。
【０１１５】
・オーディオコーディングモード
オーディオ情報を記録する際の符号化方式の種類を示す。ＬＰＣＭ、ドルビーＡＣ３、ＭＰＥＧオーディオ、ＤＴＳ、ＳＤＤＳがありＣＤにも使われているＬＰＣＭがよく知られている。他は圧縮符号化方式の一つである。
【０１１６】
・マルチチャンネルタイプ
ＤＶＤオーディオフォーマットにおける、ＬＰＣＭのマルチチャンネル記録の種類を示す。タイプ１の場合には、最大６ｃｈまで設定可能であり、各チャンネルにとスピーカ配置の関係も、前方３チャンネル＋後方２チャンネル＋サブウーハの組み合わせの中で設定可能である。
【０１１７】
・チャンネルアサイメント
ＬＰＣＭのマルチチャンネルにおける、チャンネル数、各チャンネルと出力スピーカ配置との関係、及び各チャンネルとチャンネルグループとの関係を示す。例えば、３ｃｈの信号が記録されている場合、ＣＨ０は、Left Front speaker: 左前から出力する信号でチャンネルグループ１に含まれる、ＣＨ１は、Right Front speaker:右前から出力する信号でチャンネルグループ１に含まれる、ＣＨ２は、Surround speaker: 後方から出力する信号で、チャンネルグループ２に含まれる、といった関係であることを示す。前述したように、マルチチャンネルタイプが、タイプ１の場合には、前方３チャンネル＋後方２チャンネル＋サブウーハの組み合わせの中で２１パターンの設定が可能で、チャンネルアサイメント情報がこの２１パターンのうちどの組み合わせであるかを示す。
【０１１８】
・マルチストリーム再生
ＤＶＤオーディオフォーマットにおけるオーディオゾーンに記録されるオーディオの実体情報は、ＡＯＢの中に、唯一のオーディオストリームとして記録されるが、ビデオゾーンに記録されるオーディオの実体情報は、ＶＯＢの中に、映像のストリームと共に、パック毎に多重して記録される。またＶＯＢは、限られた転送レートの範囲内であれば、複数のオーディオストリームを多重することができる。例えば２ｃｈ／ＬＰＣＭオーディオストリームとマルチチャンネル／ＬＰＣＭオーディオストリームを多重したり、２ｃｈ／ＬＰＣＭオーディオストリームとＡＣ−３圧縮音声ストリームを多重することも可能である。これらの再生形態の異なる２つのオーディオストリームは、オーディオセレクションの値を指定することにより、ユーザが選択することができる。
【０１１９】
・ダウンミックス再生
ＤＶＤオーディオフォーマットにおけるマルチチャンネルＬＰＣＭ情報は、ディスクリートマルチチャンネル部分のみが記録されることがある。すなわちこの場合２ｃｈ再生用の信号は記録されていない。従ってプレーヤが、マルチチャンネル再生をする場合には、何も問題はないが、ＣＨ０，ＣＨ１だけで、２ｃｈで再生しようとすると、一部の音しか聞こえない、という問題を生じる。マルチチャンネル記録された全ての音を２チャンネルで再生するために、全ての記録チャンネルの信号をダウンミックス係数に従って L-mix,R-mix  にダウンミックスし、このL -mix,R-mixを使って２ｃｈ再生を行う。このことをダウンミックス再生という。
【０１２０】
・スケーラブル記録の再生
ＤＶＤオーディオフォーマットにおけるマルチチャンネルＬＰＣＭ情報は、二組のグループに分かれて記録される。それぞれのグループは、チャンネルグループ１、チャンネルグループ２と呼ばれる。チャンネルグループ毎に異なった標本化周波数と量子化のビット数を設定することができるが、チャンネルグループ１の方が標本化周波数と量子化のビット数、共に大きい値を持つように決められている。
【０１２１】
・Channel ＿Group ＿#2のフローティング記録の再生
ＤＶＤオーディオフォーマットにおけるマルチチャンネルＬＰＣＭ情報は、二組のグループに分かれて記録され、チャンネルグループ１が標本化周波数と量子化のビット数、共に大きい値を持つように決められている。例えば、チャンネルグループ１：ｆｓ＝９６ｋＨｚ，Ｑｂ＝２４ｂｉｔ、チャンネルグループ２：ｆｓ＝４８ｋＨｚ，Ｑｂ＝１６ｂｉｔといった具合である。従って量子化ビット数が異なる２つの信号を同時にマルチチャンネルとして再生したり、ダウンミックスして２ｃｈ再生を行う場合、量子化ビット数が小さい方のノイズレベルが支配的となり、チャンネルグループ１が２４ビットのダイナミックレンジを持っているにも関わらず、全体としては、１６ビットのダイナミックレンジとなってしまう。これは、ＭＳＢを基準に各チャンネルグループの信号を再生しているためである。従って、量子化ビット数の小さい信号をそのビット数に合わせて、そのレベルを下げて再生することにより、この問題を解決することができる。このためにチャンネルグループ２の信号はフローティング記録されている。すなわちチャンネルグループ２の信号は量子化のビット数と何ビットレベルを下げて再生するかが、決められている。
【０１２２】
・タイトルグループ選択
ＤＶＤオーディオフォーマットにおける、ユーザが選択及びプレーヤに指示することができる最大の単位である。ユーザからは複数の曲（トラック）の集合と認識される。タイトルグループは、複数のタイトルの集合であるが、タイトル自体をユーザが認識することはない。例えば、最初に音楽情報だけで１０曲、その後映像情報を伴った曲が２曲、といった場合、最初の１０曲でタイトル１、後の２曲でタイトル２となる。しかし曲に対する番号は、タイトルグループ中連番となっており、ユーザが映像情報を伴った最初の曲を再生したい場合には、トラック１１を指示することになる。タイトル２のトラック１といった指示を行うことはない。
【０１２３】
・トラック選択
ＤＶＤオーディオフォーマットにおける、ユーザが選択及びプレーヤに指示することができる単位である。１つの曲やチャプターに相当する。
【０１２４】
・インデックス選択
ＤＶＤオーディオフォーマットにおける、ユーザが選択及びプレーヤに指示することができる最小の単位である。曲（トラック）をさらに細分化した単位である。従ってその使い方は、比較的自由で一つのインデックスと同一曲内の曲番（１番、２番・・・・・）とを対応させてもよい。また複数のインデックスを同一曲内の同一曲番に対応させてもよい。そこで曲（曲番）中の前奏、間奏、エンディング、さび（クライマックス）等に一つのインデックスを対応させることもできるので様々な再生形態を指示することができる。
【０１２５】
・タイトルグループ時間の表示
タイトルグループの総時間、及びタイトルグループ内の経過時間（現在時間）、残り時間等の管理と表示。これらの時間管理が可能なように第１の再生制御情報に各単位毎の時間が記述されている。
【０１２６】
・トラック時間の表示
トラックの総時間、及びトラック内の経過時間（現在時間）、残り時間等の管理と表示。これらの時間管理が可能なように第１の再生制御情報に各単位毎の時間が記述されている。
【０１２７】
・インデックス時間の表示
インデックスの総時間、及びインデックス内の経過時間（現在時間）、残り時間等の管理と表示。これらの時間管理が可能なように第１の再生制御情報に各単位毎の時間が記述されている。
【０１２８】
・スポットライト再生
曲（トラック）内の聞かせ所だけを選択的に再生する再生形態。トラック内に複数のインデックスを設定し、聞かせ所に相当するインデックスに、そのインデックスで指定した区間が、スポットライト区間であると設定することにより特定のインデックスのみを再生することができる。
【０１２９】
・再生制御コマンドを用いた再生
インターラクティブな再生形態を実現するためのものである。
【０１３０】
・テキスト情報を用いた再生
ＤＶＤオーディオフォーマットの場合、２種類のテキスト情報を記録することができる。一つはディスク全体に関するテキストを集中的に管理し、表示及び曲の検索に用いるための集中テキスト情報である。もう一つは、オーディオデータ中に多重する、リアルタイムテキスト情報である。こちらは、曲の再生中にその歌詞を表示したり、曲名等を表示するのに用いられる。
【０１３１】
（4.5.1.1 ）オーディオプレーヤの場合
最初に、オーディオプレーヤがオーディオタイトル（ＡＯＴＴ）を再生する方法について説明する。前述のように、オーディオプレーヤはナビゲーション情報としてＡＯＴＴ＿ＳＲＰＴ２４３のみを参照する。図６においてＡＯＴＴは＃２と＃５なので＃２を再生する場合、ＡＯＴＴ＿ＳＲＰ＃２を参照し、当該タイトルが含まれる、ＡＴＳ番号（この場合は、ＡＴＳ＃１）とそのＡＴＳ内でのタイトル番号を読み出す（図８、「Ｐ２Ａ（1 ）」で示すパスを参照）。次に該当するＡＴＳ＃１のＡＴＳＩ２１１を参照し（図８、「Ｐ２Ａ（2 ）」で示すパスを参照）、先のＡＴＳ内でのタイトル番号から当該タイトルが対応するＡ（Audio）ＰＧＣＩを読み出す。従って、再生時にはＡＯＴＴ＿ＳＲＰ＃２が指定するＡＰＧＣＩに従ってＡＯＢ２１０内のオーディオパック４３を再生することによりオーディオ情報を再生する（図８、「Ｐ２Ａ（3 ）」で示すパスを参照）。
【０１３２】
（4.5.1.2 ）コンパチブルプレーヤの場合
次に、コンパチブルプレーヤがオーディオタイトル（ＡＯＴＴ）を再生する方法ついて説明する。コンパチブルプレーヤはナビゲーション情報としてＡＴＴ＿ＳＲＰＴ２４２を参照する。図６においてＡＯＴＴは＃２と＃５なので＃２を再生する場合、このＡＴＴ＿ＳＲＰ＃２を参照し、それがＡＯＴＴ＿ＳＲＰＴであるので、当該タイトルがＡＯＴＴであることを認識する。以後、オーディオプレーヤと同様に、当該タイトルが含まれる、ＡＴＳ番号（この場合は、ＡＴＳ＃１）とそのＡＴＳ内でのタイトル番号を読み出す（図８、「Ｐ２Ｃ（1 ）」で示すパスを参照）。次に該当するＡＴＳ＃１のＡＴＳＩ２１１を参照し（図８、「Ｐ２Ｃ（2 ）」で示すパスを参照）、先のＡＴＳ内でのタイトル番号から当該タイトルが対応するＡＰＧＣＩを読み出す。従って、再生時にはＡＴＴ＿ＳＲＰＴ＃２が指定するＡＰＧＣＩに従ってＡＯＢ２１０内のオーディオパック４３を再生することによりオーディオ情報を再生することができる（図８、「Ｐ２Ｃ  （3 ）」で示すパスを参照）。
【０１３３】
（4.5.2 ）画像専用タイトル（ＡＶＴＴ）
次に、画像専用タイトルの再生のパスを説明する。画像専用タイトルは、ビデオプレーヤとコンパチブルプレーヤが再生することができる。
【０１３４】
（4.5.2.1 ）ビデオプレーヤの場合
ビデオプレーヤは、ナビゲーション情報としてＴＴ＿ＳＲＰＴ（タイトルサーチポインタテーブル）２５１を参照し、ＤＶＤビデオフォーマットの再生手順に従って処理を行う。従って、まずＶＭＧ３のタイトルサーチポインタテーブル２５１を参照する。ここでオーディオナビゲーション上で対応するタイトルの各タイトルサーチポインタテーブル２４２、２４３上のサーチポインタの記述位置と、ＶＭＧ３のタイトルサーチポインタテーブル２５１上のタイトルサーチポインタの記述位置は、１：１に対応していなくてもよい。即ち、ＡＭＧＩのＡＴＴサーチポインタテーブル２４２とＶＭＧＩのＴＴサーチポインタテーブル２５１において、その内容及び順番を、独立に定義することができる。
【０１３５】
ただし、混乱を避けるため、タイトルサーチポインタテーブル２５１内に、ＶＭＧＩのＴＴ＿ＳＲＰ２５４に対応するタイトルがない場合には、原則としてＴＴサーチポインタテーブル上で枠を詰めて記述することとする。従ってタイトル番号は、図８で示すように異なる場合がある。即ち、図６に示す例のオーディオ・ビデオ両用ＤＶＤには７個のタイトルが存在するが、ビデオプレーヤはＡＯＴＴであるタイトル＃２及び＃５は再生しないので、これらを省いた残りの５個のタイトル（タイトル＃１、＃３、＃４、＃６、＃７）についてのＴＴ＿ＳＲＰをタイトルサーチポインタテーブル２５１内に記述している。よって、タイトルサーチポインタテーブル２５１内のＴＴ＿ＳＲＰ＃１−＃５は、夫々図６中央の列に示すＶＭＧにより管理されている各タイトル＃１、＃２、＃３、＃４、＃５に対応している。
【０１３６】
ＴＴ＿ＳＲＰ２５４は、対象となるタイトルを論理的に構成するＰＧＣを示している。従ってビデオプレーヤは、このサーチポインタから当該タイトルが含まれるＶＴＳ番号（この場合は、ＶＴＳ＃１）とそのＶＴＳ内でのタイトル番号を読み出す（図８、「Ｐ３Ｖ（1 ）」で示すパスを参照）。次に該当するＶＴＳ＃１のＶＴＳＩ１１を参照し（図８、「Ｐ３Ｖ（2 ）」で示すパスを参照）、先のＶＴＳ内でのタイトル番号から当該タイトルが対応するＰＧＣＩを読み出す。よって、ビデオプレーヤは、このＰＧＣＩを取得し、ＶＯＢ内のビデオパック、オーディオパックなどを使用して当該タイトルをＡＶ情報として再生する（図８、「Ｐ３Ｖ（3 ）」で示すパスを参照）。
【０１３７】
（4.5.2.2 ）コンパチブルプレーヤの場合
次に、コンパチブルプレーヤが画像専用タイトル（ＡＶＴＴ）を再生する場合のパスについて説明する。コンパチブルプレーヤはナビゲーション情報としてＡＴＴ＿ＳＲＰＴ２４２のみを参照する。図６において画像専用タイトル（ＡＶＴＴ）は＃４、＃６、＃７であるので＃４を再生する場合、このＡＴＴ＿ＳＲＰ＃４を参照し、それがＡＶＴＴ＿ＳＲＰであるので、当該タイトルが画像専用タイトルであることを認識する。前述したように、ビデオプレーヤにおけるタイトル番号とは一致しない。しかし以後は、ビデオプレーヤがＴＴ＿ＳＲＰから読み出したのと同様に、ＡＴＴ＿ＳＲＰ２４５から、当該タイトルが含まれる、ＶＴＳ番号（この場合は、ＶＴＳ＃１）とそのＶＴＳ内でのタイトル番号を読み出す（図８、「Ｐ４Ｃ（1 ）」で示すパスを参照）。次に該当するＶＴＳ＃１のＶＴＳＩ１１を参照し（図８、「Ｐ４Ｃ（2 ）」で示すパスを参照）、先のＶＴＳ内でのタイトル番号から当該タイトルが対応するＰＧＣＩを読み出す。よって、コンパチブルプレーヤも、このＰＧＣＩを取得し、ＶＯＢ内のビデオパック、オーディオパックなどを使用して当該タイトルをＡＶ情報として再生する（図８、「Ｐ４Ｃ（3 ）」で示すパスを参照）。
【０１３８】
（4.5.2.3 ）オーディオプレーヤの場合
次に、オーディオプレーヤの場合について説明する。オーディオプレーヤはナビゲーション情報としてＡＯＴＴ＿ＳＲＰＴ２４３のみを参照する。従ってＡＯＴＴ＿ＳＰＲ＃４を読み出すが、ここには該当するＡＯＴＴは無いと書かれているため、再生を中止する。（図８においてはＡＯＴＴ＿ＳＰＲ＃４に相当するところには何も記述されないのでオーディオプレーヤは再生を中止する）。
【０１３９】
（4.5.3 ）画像音声両用タイトル（ＡＶＴＴ／ＡＯＴＴ）の場合
画像音声両用タイトルは、オーディオプレーヤ、ビデオプレーヤ、コンパチブルプレーヤ全てのプレーヤで再生される。従ってこの順に説明する。
【０１４０】
（4.5.3.1 ）オーディオプレーヤの場合
最初に、オーディオブレーヤが画像音声両用タイトルを再生する方法について説明する。オーディオプレーヤはナビゲーション情報としてＡＯＴＴ＿ＳＲＰＴ２４３しか参照しない。図６では画像音声両用タイトル（ＡＶＴＴ／ＡＯＴＴ）は＃１と＃３なので＃１を再生する場合、ＡＯＴＴ＿ＳＲＰ＃１を参照し、当該タイトルが含まれるＡＴＳ番号（この場合は、ＡＴＳ＃３）とそのＡＴＳ内でのタイトル番号を読み出す（図８、「Ｐ１Ａ（1 ）」で示すパスを参照）。次に該当するＡＴＳ＃３のＡＴＳＩ２１２を参照し（図８、「Ｐ１Ａ（2 ）」で示すパスを参照）、先のＡＴＳ内でのタイトル番号から当該タイトルが対応するＡＰＧＣＩを読み出す。但し、このＡＴＳ＃３は、実体としてのオーディオデータを含まず、このＡＰＧＣＩはＶＴＳ＃１のＶＯＢ１０に対する再生手順を示すものである。従って、再生時にはこのＡＰＧＣＩに従ってＶＯＢ１０内のオーディオパック４３だけを再生することによりオーディオ情報のみを再生する（図８「Ｐ１Ａ（3 ）」で示すパスを参照）。
【０１４１】
（4.5.3.2 ）ビデオプレーヤの場合
次にビデオプレーヤが画像音声両用タイトル再生する方法について説明する。前述したように、ビデオプレーヤは、ディスクの種類に関わらず、ビデオフォーマットの再生手順に従って処理を行う。従って、最初にＶＭＧ３のタイトルサーチポインタテーブル２５１を参照する。ここでのタイトル番号は＃１であり、オーディオナビゲーション上のタイトル番号と一致する。以後のパスは、（5.2.1 ）の場合と同様であるので説明を省略する。（図８、「Ｐ１Ｖ（1 ）、（2 ）、（3 ）」で示すパスを参照）
【０１４２】
（4.5.3.3 ）コンパチブルプレーヤの場合
次に、コンパチブルプレーヤが画像音声両用タイトルを再生する方法について説明する。コンパチブルプレーヤはナビゲーション情報としてＡＴＴ＿ＳＲＰＴ２４２のみを参照する。従って、このＡＴＴ＿ＳＲＰ＃１を参照し、ＡＶＴＴであることを認識する。以後は、ビデオプレーヤがＴＴ＿ＳＲＰ２５４から読み出したのと同様に、ＡＴＴ＿ＳＲＰ２４５から、当該タイトルが含まれるＶＴＳ番号（この場合も、ＶＴＳ＃１）とそのＶＴＳ内でのタイトル番号を読み出す（図８、「Ｐ１Ｃ（1 ）」で示すパスを参照）。以後のパスは、ビデオプレーヤの場合と同様であるので説明を省略する（図８、「Ｐ１Ｃ（2 ）、Ｐ１Ｃ（3 ）で示すパスを参照）。
【０１４３】
以上説明したように、第一の再生制御情報として、ビデオ用のナビゲーション情報とオーディオ用のナビゲーション情報を持つだけでなく、それらを統合する情報を持ち、又はそれらを関連づける情報を持つことで、各種再生形態が異なるタイトルを、再生能力が異なる各種プレーヤで再生した際の矛盾と混乱をなくすことができる
【０１４４】
（５）第２の再生制御情報
次に、オーディオＤＶＤ上の記録情報のうち、第２の再生制御情報について説明する。ここで第２の再生制御情報とは、オーディオゾーン先頭に記録されているＳＡＰＰＴ２０４のことを指す。このＳＡＰＰＴにはディスクに記録されているオーディオタイトル及び、画像音声両用タイトル（ＡＶＴＴ／ＡＯＴＴ）のオーディオ情報の再生を限定的な形態で再生するために必要な再生制御情報の集合である。
【０１４５】
第２の再生制御情報であるＳＡＰＰＴを用いて実現できる再生形態（機能）は上述した第１の再生制御情報であるＡＰＧＣＩを用いて実現できる予め用意された再生形態のうち、２ｃｈ再生、曲毎の属性の変更、オーディオコーディングモード（リニアＰＣＭのみ対応）、ダウンミックス再生、スケーラブル記録、Channel ＿Group ＿#2のフローティング記録、タイトルグループ選択、トラック選択、及び、タイトルグループ時間及びトラック時間の表示、である。
【０１４６】
前述のように、オーディオＤＶＤにおいては、実体情報であるオーディオ情報は各ＡＴＳ２０３又は各ＶＴＳ４に記録されており、第１の再生制御情報のうち各セルのアドレス情報や、時間情報は、ＡＰＧＣＩとして各ＡＴＳ３内のＡＴＳＩ２１１中に記述されている。またオーディオ情報（ＡＯＢ）の属性などに関する付帯的情報は各ＡＴＳ３内のＡＴＳＩ２１１中に記述されている。従って、各タイトルグループに属するオーディオ情報を再生するためには、各ＡＴＳ内のＡＴＳＩを参照し再生制御情報（ＡＰＧＣＩ）や属性情報を取得することが必要となる。
【０１４７】
ところで、ＡＴＳＩ２１１のコントロールデータ内の再生制御情報（ＡＰＧＣＩ）は、単にトラックの再生のための情報だけでなく、各種機能を実現するための様々な情報、例えば、各セルに関する情報や曲番サーチ、特殊再生のための情報が含まれている。しかしながら、ポータブルプレーヤのような簡易再生装置の場合は多くの機能を必要としない場合が普通であり、この再生制御情報（ＡＰＧＣＩ）の一部の情報しか使わないことになる。また、タイトルが変わる毎に新しい再生制御情報（ＡＰＧＣＩ）をディスクから読み出し該メモリに記録する必要がある。よって、ディスク全体に何曲収録されているか、どのような属性の曲で構成されているのか、重複した曲があるのか等を知るためには、すべての再生制御情報（ＡＰＧＣＩ）を読み出し、検索及び計算する必要がある。これには時間もかかり、非効率的である。
【０１４８】
そこで、本発明においては、ＤＶＤディスク上に記録されたオーディオタイトル（ＡＯＴＴ）に含まれる２ｃｈ再生可能な全てのトラック（曲）についての限定的な再生、すなわち予め用意されたすべての再生形態の一部の再生形態での再生を行うための再生制御情報をリードインエリアＬＩ内又はオーディオゾーン先頭に第２の再生制御情報（ＳＡＰＰＴ）として記録しておく。こうすることにより、どのタイトルグループに属するどの曲を再生する場合でもタイトル及び属するＡＴＳ，ＶＴＳを意識することなく、当該ＳＡＰＰＴを参照することにより容易且つ迅速に再生制御情報を取得することができ、円滑な再生が可能となる。すなわち、リードインエリアＬＩ又はオーディオゾーン先頭に再生制御情報を記録しておくことにより、オーディオＤＶＤディスク挿入後、直ちに曲の再生に必要な再生制御情報を得ることができる。
【０１４９】
前述のように、オーディオ・ビデオ両用ＤＶＤは、ＤＶＤビデオフォーマットに従うビデオゾーン及びＤＶＤオーディオフォーマットに従うオーディオゾーンを有する。オーディオ・ビデオ両用ＤＶＤから再生可能な情報は、映画などのＡＶ情報（音声付き映像情報）とオーディオ情報とである。そして、それぞれの情報を各種プレーヤで再生したとき、混乱や矛盾が生じないようにするための第１の再生制御情報が、各プレーヤに対応して別個にオーディオ・ビデオ両用ＤＶＤ上に記録されている。これに対して、２ｃｈで再生できるトラックに関する情報だけを対象とし、その一部の再生形態だけを実現するための情報が第２の再生制御情報である。（４）で第１の再生制御情報を用いてタイトルを再生する場合の説明をしたが、第２の再生制御情報を用いる再生制御は、（４．５．１）で示した、オーディオタイトル及び画像音声両用タイトルをオーディオプレーヤで再生した場合に相当する。
【０１５０】
図６の場合、このオーディオ・ビデオ両用ＤＶＤには７つのタイトルグループが存在している。そして、各タイトルグループがそれぞれ一つのタイトルに対応しているものとする（タイトルグループ＃１はタイトル＃１に、タイトルグループ＃２はタイトル＃２というような対応）。
【０１５１】
オーディオ情報の再生だけしかしないオーディオプレーヤにとって、タイトルグループは従来のＣＤアルバム１枚に相当する概念とみなすことができ、図６の場合ユーザからは４枚の異なるＣＤアルバムが１枚のオーディオＤＶＤに記録されていると認識される。ユーザは、あたかも４枚の異なるＣＤアルバムの中から聞きたいＣＤアルバムを選択するかのように、所望のタイトルグループを選択する。しかしコンパチプレーヤのユーザからは７つのタイトルグループが認識される。この図のように画像専用タイトルがある場合には、オーディオプレーヤで４つ目のタイトルグループを選択する場合にもかかわらず“タイトルグループ＃５”と指示する必要がある。従ってユーザはジャケット等を見て、自分の所望するタイトルグループを指示しなくてはならない。
【０１５２】
ＳＡＰＰＴに記録されている情報は、タイトルグループ毎の各トラック（曲）番号とそのスタートアドレス及びエンドアドレスを含む。これらはオーディオＤＶＤ上の絶対アドレスであってもよいし、ＳＡＰＰＴが記録された位置からの相対アドレスであってもよい。さらに各トラックの属性情報であるチャンネルアサイメントや標本化周波数ｆｓ、量子化ビット数Ｑｂも記述されている。また、トラックの時間情報としてトラックのスタートタイムと再生時間も記述されている。図９に図６における論理構造のＳＡＰＰＴに記述されている情報の一部の例を示す。また図１０は図６における論理構造とディスク上の物理的配置との関係を示す図である。
【０１５３】
ユーザが、再生したいタイトルグループを指示した場合には、再生装置はＳＡＰＰＴを読み取るだけで、該当するタイトルグループの全てのトラックに関する情報を得ることができる。ここで得られた情報は、前述した第１の再生制御情報であるＡＰＧＣＩの一部に相当する。ここに書かれている各トラックのアドレス情報を参照し、スタートアドレスからエンドアドレスまでのＡＴＳ内のオーディオ情報又はＶＴＳ内のオーディオ情報を再生する。第２の再生制御情報であるＳＡＰＰＴを用いた再生では、第１の再生制御情報であるＡＰＧＣＩを参照する必要がない。しかし、ＳＡＰＰＴに基づく再生では、例えばリニアＰＣＭの音声情報を２ｃｈステレオの再生形態でしか行うことができず、ＡＰＧＣＩに基づくインタラクティブ性に富んだ多種多様な再生形態を行うことができない。
【０１５４】
また、ＳＡＰＰＴにはオーディオ属性情報が含まれる。オーディオ属性情報は、オーディオＤＶＤ上に記録された２ｃｈ再生が可能な全てのトラックのオーディオ情報の属性に関する情報である。また、この属性情報は２ｃｈ再生を行うために必要な情報のみから構成されている。具体的には、このオーディオ属性情報は、オーディオ情報の符号化方式、サンプリング周波数、量子化ビット数、オーディオ情報として含まれているチャンネル数や各チャンネルとチャンネルグループの関係を示すチャンネルアサイメント情報、等である。従って第２の再生制御情報であるＳＡＰＰＴを用いた再生では、第１の再生制御情報であるＡＭＧ，ＡＴＳＩを参照する必要がない。オーディオＤＶＤ再生装置はこれらのオーディオ属性情報に合うように自動的に適応して再生を行う。
【０１５５】
また第２の再生制御情報であるＳＡＰＰＴを用いた再生には以下の特徴もある。ＤＶＤオーディオフォーマットでは、同じトラック（曲）を別のタイトルで重複して使うことができる。例えば、タイトルグループ＃３を、タイトルグループ＃１、＃２にも含まれるトラックを含むように構成してもよい。すなわち、タイトルグループ＃１のトラック＃１と同一のオーディオ情報をタイトルグループ＃３のトラックとすることができる。これらの重複するトラックに対応するオーディオ情報は同一であり、アドレス属性情報は同じである。
【０１５６】
再生装置は、ＳＡＰＰＴ内のアドレス情報を比較することにより重複トラックか否かを判定することができる。つまり、今まで再生したトラックアドレス情報をメモリに記憶しておき、今回再生するトラックのアドレス情報と同じものがメモリ内に存在するか否かを判断する。同一のアドレス情報がメモリ内に存在しなければ今回のトラックを再生し、メモリ内に存在すれば重複トラックと判定し再生しないようにすればよい。
【０１５７】
このように、重複トラックを判別しておくことにより、オーディオオンリーＤＶＤディスクに記録されたオーディオ情報をＭＤ（ミニディスク）等の別の情報記録媒体にダビングする場合に、同じ曲が重複して再生され、ＭＤにコピーされることを防止することができる。
【０１５８】
前述のように、１つのタイトルグループはユーザからは１つのＣＤアルバムに相当するものとして認識される。従って、前述の例では、ユーザがタイトルグループ＃１からタイトルグループ＃３まで順に再生する指示を再生装置に入力したとすると、同一の曲が複数回に渡り再生されることになる（以下、この再生モードを「通常再生」と呼ぶ。）。ユーザによっては、そのような繰返しを好まないこともある。また、このオーディオＤＶＤの曲をＭＤなどにダビングする場合は、同一の曲が繰返し記録されることとなり不適当である。このような場合、重複フラグをＳＡＰＰＴに記述しておくことにより重複トラックの検出が容易になる。従ってこのフラグを参照するかアドレス情報の比較により重複トラックを判定し、重複トラックは再生しないこととすれば、同じ曲が繰返し再生されることが防止できる。即ち、ディスクに記録された全ての実体的オーディオ情報（曲）を１回ずつ再生することができる（以下、この再生モードを「非重複再生」と呼ぶ）。
【０１５９】
ＳＡＰＰＴには、さらに再生時間が記録されている。具体的には、各トラック毎の再生時間、各タイトルグループ毎の総再生時間、ディスクの総再生時間、及びディスクの総収録時間である。ここで、ディスク総再生時間は、各グループのトラックを順に再生する場合（通常再生）の再生時間であり、重複トラックに関しては他のグループと同一のトラックが再度再生される場合の再生時間である。これに対し、ディスク総収録時間とは、上記非重複再生、即ち、同一の曲を繰返し再生しないモードにおける総再生時間である。総収録時間は、上記のようにオーディオＤＶＤの曲をテープなどにダビングする際に有用な情報である。また、ＳＡＰＰＴ中に各トラックの再生時間のみを記憶しておき、各トラックの再生時間を加算することにより各種の総再生時間を得るようにしてもよい。例えば、ディスク総再生時間は全てのタイトルグループに含まれるトラックの再生時間を合計することにより得られる。ディスク総収録時間は、重複フラグを参照するかアドレス情報の比較により重複トラックを判定し、重複トラックを除いた全てのタイトルグループに含まれるトラックの再生時間を合計することにより得られる。
【０１６０】
（６）再生装置
（6.1 ）ビデオＤＶＤプレーヤ
図１１に示すように、実施の形態に係るビデオＤＶＤプレーヤは、ピックアップ８０と、復調訂正部８１と、ストリームスイッチ８２及び８４と、トラックバッファ８３と、システムバッファ８５と、デマルチプレクサ８６と、ＶＢＶ（Video Buffer Verifier ）バッファ８７と、ビデオデコーダ８８と、サブピクチャバッファ８９と、サブピクチャデコーダ９０と、混合器９１と、オーディオバッファ９２と、オーディオデコーダ９３と、入力部９８と、ディスプレイ９９と、システムコントローラ１００と、ドライブコントローラ１０１と、スピンドルモータ１０２と、スライダモータ１０３とにより構成されている。なお、図１１に示す構成は、ビデオＤＶＤプレーヤの構成のうち、映像及び音声の再生に関する部分のみを記載したものであり、ピックアップ８０及びスピンドルモータ１０２並びにスライダモータ１０３等をサーボ制御するためのサーボ回路等は従来技術と同様であるので、記載及び細部説明を省略する。
【０１６１】
次に、動作を説明する。
ピックアップ８０は、図示しないレーザダイオード、ビームスプリッタ、対物レンズ、光検出器等を含み、ＤＶＤ１に対して再生光としての光ビームＢを照射すると共に、当該光ビームＢのＤＶＤ１からの反射光を受光し、ＤＶＤ１上に形成されている情報ピットに対応する検出信号Ｓp を出力する。このとき、光ビームＢがＤＶＤ１上の情報トラックに対して正確に照射されると共に、ＤＶＤ１上の情報記録面で正確に焦点を結ぶように、図示しない対物レンズに対して従来技術と同様の方法によりトラッキングサーボ制御及びフォーカスサーボ制御が施されている。
ピックアップ８０から出力された検出信号Ｓp は、復調訂正部８１に入力され、復調処理及び誤り訂正処理が行われて復調信号Ｓdmが生成され、ストリームスイッチ８２及びシステムバッファ８５に出力される。
【０１６２】
復調信号Ｓdmが入力されたストリームスイッチ８２は、ドライブコントローラ１０１からのスイッチ信号Ｓsw1 によりその開閉が制御され、閉のときには、入力された復調信号Ｓdmをそのままスルーしてトラックバッファ８３に出力する。一方、ストリームスイッチ８２が開のときには、復調信号Ｓdmは出力されず、不要な情報（信号）がトラックバッファ８３に入力されることがない。復調信号Ｓdmが入力されるトラックバッファ８３は、ＦＩＦＯ（First In First Out）メモリ等により構成され、入力された復調信号Ｓdmを一時的に記憶すると共に、ストリームスイッチ８４が閉とされているときには、記憶した復調信号Ｓdmを連続的に出力する。
【０１６３】
連続的に復調信号Ｓdmが入力されるストリームスイッチ８４は、デマルチプレクサ８６における分離処理において、後段の各種バッファがオーバーフローしたり、逆に空になってデコード処理が中断することがないように、システムコントローラ１００からのスイッチ信号Ｓsw2 により開閉が制御される。一方、トラックバッファ８３と並行して復調信号Ｓdmが入力されるシステムバッファ８５は、ＤＶＤ１をローディングしたときに最初に検出され、ＤＶＤ１に記録されている情報全体に関する管理情報（ＶＭＧ３等）又はＶＴＳ４毎のＶＴＳ１１を蓄積して制御情報Ｓc としてシステムコントローラ１００に出力すると共に、再生中にナビパック４１毎のＤＳＩデータ５１を一時的に蓄積し、システムコントローラ１００に制御情報Ｓc として出力する。
【０１６４】
ストリームスイッチ８４を介して復調信号Ｓdmが連続的に入力されたデマルチプレクサ８６においては、当該復調信号Ｓdmから各パック毎にビデオデータ、オーディオデータ、サブピクチャデータ及びナビパック毎のＰＣＩデータを抽出し、ビデオ信号Ｓv 、副映像信号Ｓsp、オーディオ信号Ｓad並びにＰＣＩ信号Ｓpcとして、夫々ＶＢＶバッファ８７、サブピクチャバッファ８９、及びオーディオバッファ９２に出力する。このとき、デマルチプレクサ８６は、各パック（オーディオパック４３を含む。）及びパケットからパックヘッダ及びパケットヘッダ等を抽出し、夫々に含まれる情報をヘッダ信号Ｓhdとしてシステムコントローラ１００に出力する。
【０１６５】
ビデオ信号Ｓv が入力されるＶＢＶバッファ８７は、ＦＩＦＯメモリ等により構成され、ビデオ信号Ｓv を一時的に蓄積し、ビデオデコーダ８８に出力する。ＶＢＶバッファ８７は、ＭＰＥＧ２方式により圧縮されているビデオ信号Ｓv における各ピクチャ毎のデータ量のばらつきを補償するためのものである。そして、データ量のばらつきが補償されたビデオ信号Ｓv がビデオデコーダ８８に入力され、ＭＰＥＧ２方式により復調が行われて復調ビデオ信号Ｓvdとして混合器９１に出力される。一方、副映像信号Ｓspが入力されるサブピクチャバッファ８９は、入力された副映像信号Ｓspを一時的に蓄積し、サブピクチャデコーダ９０に出力する。サブピクチャバッファ８９は、副映像信号Ｓspに含まれるサブピクチャデータ４４を、当該サブピクチャデータ４４に対応するビデオデータ４２と同期して出力するためのものである。そして、ビデオデータ４２との同期が取られた副映像信号Ｓspがサブピクチャデコーダ９０に入力され、復調が行われて復調副映像信号Ｓspd として混合器９１に出力される。
【０１６６】
ビデオデコーダ８８から出力された復調ビデオ信号Ｓvd及びサブピクチャデコーダ９０から出力された復調副映像信号Ｓspd （対応する復調ビデオ信号Ｓvdとの同期が取れている。）は、混合器９１により混合され、最終的な表示すべき映像信号Ｓvpとして図示しないＣＲＴ（Cathod Ray Tube ）等の表示部に出力される。
【０１６７】
オーディオ信号Ｓadが入力されるオーディオバッファ９２は、ＦＩＦＯメモリ等により構成され、入力されたオーディオ信号Ｓadを一時的に蓄積し、オーディオデコーダ９３に出力する。オーディオバッファ９２は、システムコントローラ１００から出力されるヘッダ制御信号Ｓhcに基づいて、オーディオ信号Ｓadを対応する映像情報を含むビデオ信号Ｓv 又は副映像信号Ｓspに同期して出力させるためのものであり、対応する映像情報の出力状況に応じてオーディオ信号Ｓadを遅延させる。そして、対応する映像情報と同期するように時間調整されたオーディオ信号Ｓadは、オーディオデコーダ９３に出力され、システムコントローラ１００から出力されるヘッダ制御信号Ｓhcに基づいて、リニアＰＣＭ方式における再生処理が施されて復調オーディオ信号Ｓadd として図示しないスピーカ等に出力される。なお、音楽情報のみを含むオーディオＤＶＤにおいては、映像情報との同期処理は不要である。
【０１６８】
（6.2 ）オーディオＤＶＤプレーヤ
次に、上述のオーディオＤＶＤプレーヤについて図１２を参照して説明する。図１２に示すように、オーディオＤＶＤプレーヤは図１１に示すビデオＤＶＤプレーヤと比較して、デマルチプレクサ８６の後段の構成が異なるが、それ以外は同一の構成を有する。従って、デマルチプレクサ８６以降の構成部分について説明する。
【０１６９】
ストリームスイッチ８４を介して復調信号Ｓdmが連続的に入力されたデマルチプレクサ８６においては、当該復調信号Ｓdmから各パック毎にオーディオ情報を抽出し、オーディオ信号Ｓadとしてオーディオバッファ９２に出力する。オーディオ信号Ｓadが入力されるオーディオバッファ９２は、ＦＩＦＯメモリ等により構成され、入力されたオーディオ信号Ｓadを一時的に蓄積し、オーディオデコーダ９３に出力する。オーディオ信号Ｓadは、オーディオデコーダ９３に入力され、システムコントローラ１００から出力される制御信号Ｓhcに基づいて再生処理等が施されて復調オーディオ信号Ｓadd として図示しないスピーカ等に出力される。
【０１７０】
図１３にオーディオデコーダ９３の構成を示す。図示のように、オーディオデコーダ９３は、デジタルフィルタなどを含む信号処理部１２０と、Ｄ／Ａコンバータ１２１と、アンプなどを含むアナログ出力回路１２２と、ディジタル出力回路１２３と、ＲＡＭ１２４ａを含むシステムマイコン１２４と、クロック回路１２５と、を備える。
【０１７１】
システムマイコン１２４は、システムコントローラ１００との間で制御信号Ｓｃａを交換し、クロック回路１２５、信号処理部１２０、Ｄ／Ａコンバータ１２１、アナログ出力回路１２２の動作制御を行う。システムマイコン１２４は、内部にＲＡＭ１２４ａを有する。ＲＡＭ１２４ａは、システムコントローラ１００から制御信号Ｓｃａとして供給されるオーディオ属性情報を一時的に記憶する。システムマイコン１２４は、ＲＡＭ１２４ａ内に記憶されたオーディオ属性情報を参照し、その内容をクロック回路１２５及び信号処理部１２０へ供給する。具体的には、システムマイコン１２４は、オーディオ属性情報中のサンプリング周波数情報をクロック回路１２５へ供給する。クロック回路１２５は発振器を有し、指示されたサンプリング周波数に対応するクロック信号ｆｓを信号処理部１２０へ供給する。また、システムマイコン１２４は、オーディオ属性情報中のサンプリング周波数、量子化ビット数、チャンネル数、エンファシスの有無の情報を信号処理部１２０へ供給し、Ｄ／Ａコンバータ１２１へチャンネル数情報を提供する。さらに、システムマイコン１２４はアナログ出力回路１２２へ、各チャンネルの信号の増幅度などの情報を供給する。各チャンネル毎の増幅度の情報は、オーディオ属性情報に含めて、システムコントローラ１００から供給することができる。
【０１７２】
信号処理部１２０は、クロック回路１２５からのクロック信号ｆｓを使用し、システムマイコン１２４から得た符号化方式（リニアＰＣＭまたはドルビーＡＣ３など）、サンプリング周波数、量子化ビット数などの情報に従って、オーディオバッファ９２から供給されるオーディオ信号の復号か、帯域制限などの処理を行い、さらに、エンファシスの有無の情報に従ってディエンファシス処理を行い、Ｄ／Ａコンバータ１２１へ出力する。Ｄ／Ａコンバータ１２１は、システムマイコン１２４から得たチャンネル情報に従って、入力された信号をチャンネル毎に分割し、さらに各チャンネル毎のアナログ信号としてアナログ出力回路１２２へ出力する。また、信号処理部１２０は、ディジタル出力回路１２３を介してディジタルオーディオ信号Ｓａｄｄを外部へ出力する。
【０１７３】
リアルタイムテキスト等のリアルタイム情報は、デマルチプレクサからＲＴＩバッファに出力される。ＲＴＩバッハァに一時的に蓄積されたデータは、システムコントローラ１００から出力される制御信号Ｓhcに基づいて、ＲＴＩデコーダへと出力され、図示しない表示装置に歌詞等の表示を行う。所望の情報へのアクセス直後の再生等において一時的に音声を中断する（ポーズする）必要があることが検出された場合には、システムコントローラ１００からポーズ信号Ｓcaがオーディオデコーダ９３に出力され、当該オーディオデコーダ９３は一時的に復調オーディオ信号Ｓadd の出力を停止する。
【０１７４】
（７）第１の再生制御情報を用いた再生と第２の再生制御情報を用いた再生方法（7.1 ）第１の再生制御情報を用いた再生
第１の再生制御情報を用いた再生においては、タイトルの再生が基本となる。したがってタイトルの再生を中心に、図１９に示すような論理構造を持つオーディオオンリーＤＶＤ再生を再生する場合について説明する。
【０１７５】
このオーディオオンリーＤＶＤには、ボリューム中にタイトルグループ＃１〜＃３を有する。タイトルグループ＃１はタイトル＃１〜タイトル＃j-1 から成り立っている。タイトル＃１には３つのトラックを有しており、タイトル＃j-1 にはトラックi-1 、i の2 つのトラックを有しており、それ以外の各タイトルには１又は複数のトラックを有しているものとする。タイトルグループ＃２はタイトル＃j 、j+1 から成り立っており、タイトル＃j はトラック１からトラックｍを有し、タイトル＃j+1 はトラックm+1 からトラックｎを有する。タイトルグループ＃３は１つのタイトル＃j+2 から成り立っており、タイトル＃j+2 にはトラック１、２を有している。ここでタイトルグループと、タイトルの関係は、（４）で前述したようにＡＯＴＴサーチポインターに書かれている。従ってまず最初にＡＯＴＴサーチポインターを読みとる必要がある。
【０１７６】
第１の再生制御情報を用いた場合の再生装置の動作を図１４〜図１６に示す。再生装置にオーディオオンリーＤＶＤが挿入されると、リードインエリアＬＩに続きＵＤＦを読み取りファイル構造を確認した後、ＡＭＧを読み取る（ステップＳ１）。次に、ユーザの指示に基づき、再生すべきタイトルグループを認識する（ステップＳ２）。ユーザからの指示がなければ予め設定されたタイトルグループ、例えばタイトルグループ＃１またはすべてのタイトルグループを、再生すべきタイトルグループとして認識する。ここではタイトルグループ＃２がユーザにより選択されたものとする。
【０１７７】
そして選択されたタイトルグループに含まれるタイトルのナビゲーション情報であるタイトルサーチポインタをメモリに記憶する（ステップＳ３）。ここでは、タイトルグループ＃２が選択されているのでメモリに記憶されるタイトルサーチポインタはタイトル＃j とタイトル＃j+1 のものであり、オーディオオンリーＤＶＤなので実際に記憶されるサーチポインタはＡＯＴＴ＿ＳＲＰＴ＃j 、＃j+1 である。サーチポインタの記憶が終了するとタイトルの再生を開始する（ステップＳ４）。タイトル＃j の実体情報及び再生制御情報が記録されているＡＴＳ＃２へピックアップをジャンプさせ（ステップＳ５）、ＡＴＳ＃２内のＡＴＳＩを読み取り（ステップＳ６）、このタイトル＃j の再生制御情報であるＡＴＳＩ中のＡＰＧＣＩを読み取る（ステップＳ７）。
【０１７８】
読み取られたＡＰＧＣＩの中の情報により、タイトル＃j に含まれるトラックはトラック１〜トラックｍであることが認識でき、各トラックのアドレステーブルを作成する（ステップＳ８）。次に各タイトルのスタートアドレスとエンドアドレスを取得する（ステップＳ９〜Ｓ１５）。具体的なアドレスの取得方法は、ステップＳ９にて取得したアドレス情報がトラック先頭のスタートアドレスか否か判断する。スタートアドレスであれば（ステップＳ９：ＹＥＳ）ステップＳ１１に進みこのトラックのスタートアドレスをメモリに記憶する。トラックのスタートアドレスでなければ（ステップＳ９：ＮＯ）ステップＳ１０に進み次のアドレス情報を参照し、ステップＳ９に戻る。
【０１７９】
このトラックのスタートアドレスを取得したら、次のアドレス情報がトラックのエンドアドレスか否か判断する（ステップＳ１２）。エンドアドレスであれば（ステップＳ１２：ＹＥＳ）ステップＳ１４に進みこのトラックのエンドアドレスをメモリに記憶する。トラックのエンドアドレスでなければ（ステップＳ１２：ＮＯ）ステップＳ１３に進み次のアドレス情報を参照し、ステップＳ１２に戻る。トラックのスタートアドレス及びエンドアドレスの両方を取得したならばステップＳ１５に進み、再生すべきタイトルに含まれるすべてのトラックのスタートアドレス及びエンドアドレスを取得したか否か判断する。アドレス情報未取得のトラックがあるならば（ステップＳ１５：ＮＯ）ステップＳ９に戻り引き続きアドレス情報の取得のステップを繰り返す。再生すべきタイトルに含まれるすべてのトラックのスタートアドレス及びエンドアドレスを取得したのであれば（ステップＳ１５：ＹＥＳ）アドレステーブルの作成が終了しトラックの再生を行う。
【０１８０】
トラックの再生を行うにあたって、まずステップＳ１６にてｉ＝０とする。次にステップＳ１７に進みｉ＝ｉ＋１としトラック番号をインクリメントする。そしてトラック番号ｉの属性情報に適合するように再生装置をセットし（ステップＳ１８）、トラック番号ｉのスタートアドレス及びエンドアドレスを作成したアドレステーブルからロードする（ステップＳ１９）。次にトラック番号ｉの実体情報が記録されているディスク上の位置にロードしたスタートアドレスに基づいてピックアップを移動させ（ステップＳ２０）、ＡＯＢの再生を行う（ステップＳ２１）。ステップＳ２２にて現在再生しているアドレスがトラック番号ｉのエンドアドレスになった場合（ステップＳ２２：ＹＥＳ）はステップＳ２３に進む。現在再生しているアドレスがトラック番号ｉのエンドアドレスに至っていない場合（ステップＳ２２：ＮＯ）は、ステップＳ２１に戻り引き続きＡＯＢの再生を行う。
【０１８１】
ステップＳ２３ではトラック番号ｉがタイトルに含まれるトラック数（タイトル＃２であればｉ＝ｍ）になったか否か判断する。トラック番号ｉがタイトルに含まれるトラック数になっていれば（ステップＳ２３：ＹＥＳ）、タイトル＃ｊ内のすべてのトラックを再生したものとしてステップＳ２４に進みタイトル＃ｊの再生を終了する。トラック番号ｉがタイトルに含まれるトラック数でなければ（ステップＳ２２：ＮＯ）、まだ再生していないトラックがあるのでステップｓ１７に戻り次のトラックの再生を行う。タイトル＃ｊの再生が終了した後、ステップＳ２５にて更に再生すべき次のタイトルがあるか否か判断する。更に再生すべきタイトルが存在する場合（ステップＳ２５：ＹＥＳ）はステップＳ３で記憶したタイトル＃ｊ＋１のタイトルサーチポインタを参照しステップＳ４以降をタイトル＃ｊの再生と同様に繰り返す。更に再生すべきタイトルが存在しない場合（ステップＳ２５：ＮＯ）は再生を終了する。
【０１８２】
（7.2 ）第２の再生制御情報を用いた再生
第２の再生制御情報であるＳＡＰＰＴを用いた場合の再生装置の動作を図１７、図１８に示す。なお、ここでも図１９に示すような論理構造を持つオーディオオンリーＤＶＤを再生するものとする。
【０１８３】
再生装置にオーディオオンリーＤＶＤが挿入されると、オーディオゾーン先頭のＳＡＰＰＴをメモリに記憶する（ステップＳ１００）。次に、ユーザの指示に基づき、再生すべきタイトルグループを認識する（ステップＳ１０１）。ユーザからの指示がなければ予め設定されたタイトルグループ、例えばタイトルグループ＃１またはすべてのタイトルグループを再生すべきタイトルグループとして認識する。ここではタイトルグループ＃２がユーザにより選択されたものとする。そして、記憶されたＳＡＰＰＴの中からさらに、選択されたタイトルグループ番号が２である全てのトラックのアドレス情報、属性情報等をメモリに記憶する（ステップＳ１０２）。第１の再生制御情報を使った場合のように、タイトルやタイトルが含まれるＡＴＳを認識する必要はない。再生すべきタイトルグループの番号が決まると、そのタイトルグループに含まれるトラックを２ｃｈで再生するための情報をＳＡＰＰＴを参照することで全て得ることができる。ここでは、タイトルグループ＃２が選択されているのでメモリに記憶される情報はトラック＃１からトラック＃ｎに関するものである。
【０１８４】
次に、トラックの再生を行うにあたって、まずステップＳ１０３にてｉ＝０とする。次にステップＳ１０４に進みｉ＝ｉ＋１としトラック番号をインクリメントする。そしてトラック番号ｉの音声情報の属性に再生装置をセットし（ステップＳ１０５）、トラック番号ｉのスタートアドレスに基づきトラックｉの実体情報が記録されているディスク上の位置にピックアップを移動させ（ステップＳ１０６）、ＡＯＢの再生を行う（ステップＳ１０７）。ステップＳ１０９にて現在再生しているアドレスがトラック番号ｉのＳＡＰＰＴに基づくエンドアドレスになった場合（ステップＳ１０８：ＹＥＳ）はステップＳ１０９に進む。現在再生しているアドレスがトラック番号ｉのエンドアドレスに至っていない場合（ステップＳ１０８：ＮＯ）は、ステップＳ１０７に戻り引き続きＡＯＢの再生を行う。
【０１８５】
ステップＳ１０９ではトラック番号ｉがタイトルグループに含まれるトラック数（タイトルグループ＃２であればｉ＝ｎ）になったか否か判断する。トラック番号ｉがタイトルグループに含まれるトラック数になっていれば（ステップＳ１９０：ＹＥＳ）、タイトルグループ＃２内のすべてのトラックを再生したものとしてタイトルグループ＃２の再生を終了する。トラック番号ｉがタイトルグループ＃２に含まれるトラック数でなければ（ステップＳ１０９：ＮＯ）、まだ再生していないトラックがあるのでステップｓ１０４に戻り次のトラックの再生を行う。タイトルグループ＃２の全てのトラックの再生が終了した後、再生を終了する。
【０１８６】
このように、どのタイトルグループに属するどの曲を再生する場合でも、当該ＳＡＰＰＴを参照することにより容易且つ迅速に再生制御情報を取得することができ、円滑な再生が可能となる。すなわち、リードインエリアＬＩ、ＡＭＧ又はオーディオゾーン先頭に第２の再生制御情報を記録しておくことにより、オーディオＤＶＤディスク挿入後、直ちに曲の再生に必要な再生制御情報を得ることができる。よって、本発明によれば、第１の再生制御情報を用いて多種多様で複雑な機能及びインタラクティブな再生を実現できるとともに、限定された一部機能を実現する場合は、第２の再生制御情報を用いることにより簡単な処理で再生が可能になる。
【０１８７】
【発明の効果】
請求項１記載の発明によれば、複数のプレーヤに最適なナビゲーション情報を記録しておくことにより、プレーヤは最適なナビゲーション情報を選択することができ再生処理が簡単になる。
【図面の簡単な説明】
【図１】ＤＶＤビデオフォーマットの物理的構造（物理フォーマット）を示す図である。
【図２】ＤＶＤビデオフォーマットの論理的構造（論理フォーマット）を示す図である。
【図３】ＤＶＤオーディオフォーマットの物理的構造（物理フォーマット）を示す図である。
【図４】ＤＶＤオーディオフォーマットの論理的構造（論理フォーマット）を示す図である。
【図５】ＤＶＤの種類を示す図である。
【図６】オーディオ・ビデオ両用ＤＶＤの一例を示す図である。
【図７】同一オブジェクトの２重管理の概念を示す図である。
【図８】図６に示すオーディオ・ビデオ両用ＤＶＤについて規定されたナビゲーション情報の例を示す図である。
【図９】ＳＡＰＰＴに記録される情報を示す図である。
【図１０】ディスク上の物理的配置のイメージを示す図である。
【図１１】ビデオＤＶＤプレーヤの概略構成を示す図である。
【図１２】オーディオＤＶＤプレーヤの概略構成を示す図である。
【図１３】オーディオデコーダの構成を示す図である。
【図１４】第１の再生制御情報を用いた再生動作の様子を示すフローチャートである。
【図１５】第１の再生制御情報を用いた再生動作の様子を示すフローチャートである。
【図１６】第１の再生制御情報を用いた再生動作の様子を示すフローチャートである。
【図１７】第２の再生制御情報を用いた再生動作の様子を示すフローチャートである。
【図１８】第２の再生制御情報を用いた再生動作の様子を示すフローチャートである。
【図１９】オーディオオンリーＤＶＤの論理構造の一例を示す図である。
【符号の説明】
３…ＶＭＧ
１０…ＶＯＢ
１１…ＶＴＳＩ
２０２…ＡＭＧ
２０４…ＳＡＰＰＴ
２１０…ＡＯＢ
２１１…ＡＴＳＩ
２４０…ＡＭＧＩ
【図１】
0003872421.tif 000002
【図２】
0003872421.tif 000003
【図３】
0003872421.tif 000004
【図４】
0003872421.tif 000005
【図５】
0003872421.tif 000006
【図６】
0003872421.tif 000007
【図７】
0003872421.tif 000008
【図８】
0003872421.tif 000009
【図９】
0003872421.tif 000010
【図１０】
0003872421.tif 000011
【図１１】
0003872421.tif 000012
【図１２】
0003872421.tif 000013
【図１３】
0003872421.tif 000014
【図１４】
0003872421.tif 000015
【図１５】
0003872421.tif 000016
【図１６】
0003872421.tif 000017
【図１７】
0003872421.tif 000018
【図１８】
0003872421.tif 000019
【図１９】
0003872421.tif 000020